(57)【要約】  医療集成体は、少なくとも１つの柔軟なコネクターを介して相互に柔軟に接続された複数の環状のステント要素を含むバルーンで膨張可能な内部人工器官を含み、内部人工器官は未展開直径を有する未展開状態から展開直径を有する展開された状態へ展開可能である。医療集成体は、バルーン、およびバルーンに沿ったカバーを含むカテーテル集成体をさらに含む。内部人工器官はバルーンおよびカバーの周りで同軸上に位置している。バルーンおよび前記カバーの１つまたは２つ以上の部分は未展開直径と展開直径との間の中間直径に到達し、そこで膨張圧力は少なくとも１気圧増加してカバーの降伏強度に打ち勝つまでバルーンおよびカバーのこれらの部分が前記バルーン内の膨張圧力を増加させることによって膨らませられおよびほぼ中間直径においてほぼ維持される。【選択図】図５
2019519291.tif 000002
【特許請求の範囲】
【請求項１】
第１の終端および第２の終端を有しおよび少なくとも１つの柔軟なコネクターを介して相互に柔軟に接続された複数の環状のステント要素を含むバルーンで膨張可能な内部人工器官と、
その上に前記内部人工器官が集成されるカテーテル集成体と、
を含む、医療集成体であって、
前記カテーテル集成体は、
バルーンと、
前記バルーンに沿ったカバーと、
を含み、
環状のステント要素は前記第１の終端および前記第２の終端の近傍にあり、前記内部人工器官は未展開直径を有する未展開状態から展開直径を有する展開された状態へ展開可能であり、
前記内部人工器官は前記バルーンおよび前記カバーの周りで同軸上に配置されており、
前記バルーンおよび前記カバーの１つまたは２つ以上の部分は前記未展開直径と前記展開直径との間の中間直径に到達し、そこで膨張圧力が少なくとも１気圧増加して前記カバーの降伏強度に打ち勝つまで、前記バルーンおよび前記カバーの前記部分が前記バルーン内の前記膨張圧力を増加させることによって膨らませられおよびほぼ前記中間直径においてほぼ維持される、医療集成体。
【請求項２】
前記膨張圧力が少なくとも１気圧増加して前記カバーの降伏強度に打ち勝つまで、前記中間直径に到達する前記バルーンおよび前記カバーの１つまたは２つ以上の部分は前記バルーンおよび前記カバーの終端部分を含み、および、
前記膨張圧力が少なくとも１気圧増加する後まで、前記バルーンおよび前記カバーの中央部分は中間直径より小さいままである、請求項１に記載の医療集成体。
【請求項３】
前記膨張圧力が少なくとも１気圧増加して前記カバーの降伏強度に打ち勝つまで、前記中間直径に到達する前記バルーンおよび前記カバーの１つまたは２つ以上の部分は前記内部人工器官に隣接した前記バルーンおよび前記カバーの実質的にすべての部分を含み、前記膨張圧力が少なくとも１気圧増加して前記カバーの降伏強度に打ち勝つまで、それぞれの前記複数の環状のステント要素は前記中間直径にほぼ到達するようになっている、請求項１に記載の医療集成体。
【請求項４】
前記内部人工器官はステントグラフトを含み、
前記柔軟なコネクターはグラフト材料を含み、
複数の環状のステント要素は前記柔軟なコネクターを含む非金属性材料を介してのみ相互に接続されている、請求項１に記載の医療集成体。
【請求項５】
前記柔軟なコネクターは柔軟な縦方向のコネクターを含む、請求項１に記載の医療集成体。
【請求項６】
前記未展開状態における前記内部人工器官の周りで測定して前記医療集成体のプロファイルは約５〜約１０フレンチである、請求項１に記載の医療集成体。
【請求項７】
前記未展開状態における前記医療集成体上の前記カバーの厚さは約０．０２５〜約０．０５１ミリメーターである、請求項６に記載の医療集成体。
【請求項８】
前記カバーの半径方向の強度は、前記バルーンの膨張に対して抵抗を提供しおよび前記バルーンの膨張への前記内部人工器官の可変抵抗に逆らって前記未展開直径から前記展開直径への膨張の間の前記内部人工器官の一様でない膨張を緩和するように構成されている、請求項１に記載の医療集成体。
【請求項９】
前記カバーは前記バルーンの全長の周りで前記バルーンを同心円状に取り囲む、請求項１に記載の医療集成体。
【請求項１０】
前記カバーは前記バルーンの中央部分における半径方向の強度と比較して前記バルーンの片方の終端または両方の終端においてより大きな半径方向の強度を提供する、請求項１に記載の医療集成体。
【請求項１１】
前記カバーは前記カバーの前記降伏強度に寄与するフランジブル層の究極強度で前記中間直径において破裂して前記中間直径を超える膨張に抵抗するように設計されたフランジブル層を含む、請求項１に記載の医療集成体。
【請求項１２】
前記カバーは前記カバーの前記降伏強度による膨張に増加した抵抗を提供して前記中間直径を超える膨張に抵抗するように構成された予め伸ばされた層を含む、請求項１に記載の医療集成体。
【請求項１３】
前記バルーンは、
コンプライアント材料と、
半コンプライアント材料と
非コンプライアント材料と、からなる群から選択された材料を含む、請求項１に記載の医療集成体。
【請求項１４】
前記展開直径は少なくとも１１ミリメーターである、請求項１に記載の医療集成体。
【請求項１５】
前記カバーは展開の間の隣接した環状のステント要素の一様でない膨張を制限して隣接した環状のステント要素の一様でない膨張による縮小力が前記カバーと前記内部人工器官との間の摩擦力を超えることを防止するように構成されており、および、
隣接した環状のステント要素の前記制限された一様でない膨張により、前記内部人工器官は前記未展開直径から前記展開直径への膨張の間に縮小しない、請求項１に記載の医療集成体。
【請求項１６】
患者の血管の中に医療集成体の遠位末端を挿入することと、
バルーンを遠隔的に膨らませて未展開直径から展開直径へ内部人工器官を拡張させることと、
を含む、内部人工器官の移植方法であって、
前記医療集成体は、
第１の終端および第２の終端を有しおよび少なくとも１つの柔軟なコネクターを介して相互に柔軟に接続された複数の環状のステント要素を含むバルーンで膨張可能な内部人工器官と、
その上に前記内部人工器官が集成されるカテーテル集成体と、
を含み、
前記カテーテル集成体は、
バルーンと、
前記バルーンに沿ったカバーと、
を含み、
環状のステント要素は前記第１の終端および前記第２の終端の近傍にあり、前記内部人工器官は未展開直径を有する未展開状態から展開直径を有する展開された状態へ展開可能であり、
前記内部人工器官は前記バルーンおよび前記カバーの周りに同軸上に位置し、
前記バルーンおよび前記カバーの１つまたは２つ以上の部分は前記未展開直径と前記展開直径との間の中間直径に到達し、そこで膨張圧力が少なくとも１気圧増加して前記カバーの降伏強度に打ち勝つまで、前記バルーンおよび前記カバーの前記部分が前記バルーン内の前記膨張圧力を増加させることによって膨らませられおよびほぼ前記中間直径においてほぼ維持され、
前記方法は、前記医療集成体と伴に、前記患者の前記血管または前記患者の別の血管内の治療部位に前記バルーンにわたって乗せられた前記内部人工器官を送達することをさらに含む、方法。
【請求項１７】
第１の終端および第２の終端を有するバルーンで膨張可能な内部人工器官を膨張可能なバルーンおよびカバーを含むカテーテル集成体に組み立てることを含む展開システムの製造方法であって、前記内部人工器官は前記バルーンおよび前記カバーにわたって乗せられており前記内部人工器官は前記バルーンの膨張を介して展開可能であり、前記内部人工器官は未展開直径、および展開直径を提供するようになっており、
前記内部人工器官は少なくとも１つの柔軟なコネクターを介して相互に柔軟に接続された複数の環状のステント要素を含み、環状のステント要素は前記第１の終端および前記第２の終端の近傍にあり、前記内部人工器官は未展開直径を有する未展開状態から展開直径を有する展開された状態へ展開可能であり、
前記バルーンおよび前記カバーの１つまたは２つ以上の部分は前記未展開直径と前記展開直径との間の中間直径に到達し、そこで膨張圧力が少なくとも１気圧増加して前記カバーの降伏強度に打ち勝つまで、前記バルーンおよび前記カバーの前記部分が前記バルーン内の前記膨張圧力を増加させることによって膨らませられおよびほぼ前記中間直径においてほぼ維持される、方法。
【請求項１８】
前記カテーテル集成体への前記内部人工器官の組み立ての前に、前記中間直径に前記バルーンおよび前記カバーを膨らませることによって前記カバーを予め伸ばすことをさらに含む、請求項１７に記載の方法。
【請求項１９】
第１の終端および第２の終端を有しおよび少なくとも１つの柔軟なコネクターを介して相互に柔軟に接続された複数の環状のステント要素を含むバルーンで膨張可能な内部人工器官と、
その上に前記内部人工器官が集成されるカテーテル集成体と、
を含む、医療集成体であって、
環状のステント要素は前記第１の終端および前記第２の終端の近傍にあり、前記内部人工器官は未展開直径を有する未展開状態から展開直径を有する展開された状態へ展開可能であり、
前記カテーテル集成体は、
バルーンと、
前記バルーンに連結されたカバーと、
を含み、
前記内部人工器官は前記バルーンおよび前記カバーの周りに同軸上に位置し、
前記展開直径は少なくとも１１ミリメーターであり、
前記カバーは展開の間の隣接した環状のステント要素の一様でない膨張を制限して隣接した環状のステント要素の一様でない膨張による縮小力が前記カバーと前記内部人工器官との間の摩擦力を超えることを防止するように構成されており、および、
隣接した環状のステント要素の前記制限された一様でない膨張により、前記内部人工器官は前記未展開直径から前記展開直径への膨張の間に縮小しない、医療集成体。
【請求項２０】
隣接した環状のステント要素の前記制限された一様でない膨張は前記内部人工器官の縦軸に対して３５°以下の角度となる、請求項１９に記載の医療集成体。
【請求項２１】
前記バルーンおよび前記カバーの１つまたは２つ以上の部分は前記未展開直径と前記展開直径との間の中間直径に到達し、そこで膨張圧力は少なくとも１気圧増加して前記カバーの降伏強度に打ち勝つまで前記バルーンおよび前記カバーの前記部分が前記バルーン内の前記膨張圧力を増加させることによって膨らませられおよびほぼ前記中間直径においてほぼ維持される、請求項１９に記載の医療集成体。
【発明の詳細な説明】
【技術分野】
【０００１】
本開示は、一般的に内部人工器官送達システムに関し、より詳細にはバルーン膨張送達システムに関する。
【背景技術】
【０００２】
内部人工器官は生活を改善し守るための貴重なツールである。多くの場合、内部人工器官は「展開されていない」状態で血管内に挿入され、膨張されて「展開された」状態にしなければならない。これらの２つの状態の間で内部人工器官を移行させるために、バルーンは、未展開状態の内部人工器官内に配置され、バルーンの膨張により内部人工器官を展開された状態にすることができる。
【発明の概要】
【０００３】
本開示は、一般的にバルーンで膨張可能な内部人工器官を含む医療集成体に関する。様々な例において、内部人工器官送達システムは、展開中のバルーンの膨張に対する内部人工器官の可変抵抗に逆らうように構成されたバルーン内の、バルーン上の、またはバルーンに沿った層を含むことができる。いくつかの例は、バルーン内の圧力がカバーの膨張に対する抵抗（例えばカバーの降伏強度）に打ち勝つまで、バルーンまたはステントの部分的に展開されたかまたは中間直径においてバルーンの膨張を止めるかまたは遅くするように構成されたバルーンにわたるカバーを含む。そのような例は、ステントの展開の間のステントの長さの周りのステントの一様でない膨張を緩和することができる。
【０００４】
１つの変形態様において医療集成体は、第１の終端および第２の終端を有しおよび少なくとも１つの柔軟なコネクターを介して相互に柔軟に接続された複数の環状のステント要素を含むバルーンで膨張可能な内部人工器官を含み、環状のステント要素は第１の終端および第２の終端の近傍にあり、内部人工器官は未展開直径を有する未展開状態から展開直径を有する展開された状態へ展開可能である。医療集成体は、その上に内部人工器官が集成されるカテーテル集成体をさらに含み、カテーテル集成体は、バルーンとバルーンに沿ったカバーとを含む。内部人工器官はバルーンおよびカバーの周りで同軸上に配置されている。バルーンおよびカバーの１つまたは２つ以上の部分は未展開直径と展開直径との間の中間直径に到達し、そこで膨張圧力が少なくとも１気圧増加してカバーの降伏強度に打ち勝つまで、バルーンおよびカバーのこれらの部分がバルーン内の膨張圧力を増加させることにより膨らませられおよびほぼ中間直径においてほぼ維持される。
【０００５】
いくつかの例において、膨張圧力が少なくとも１気圧増加してカバーの降伏強度に打ち勝つまで、中間直径に到達するバルーンおよびカバーの１つまたは２つ以上の部分はバルーンおよびカバーの終端部分を含み、膨張圧力が少なくとも１気圧増加してカバーの降伏強度に打ち勝つまで、バルーンおよびカバーの中央部分は中間直径より小さいままである。
【０００６】
いくつかの例において、膨張圧力が少なくとも１気圧増加してカバーの降伏強度に打ち勝つまで、中間直径に到達するバルーンおよびカバーの１つまたは２つ以上の部分は、内部人工器官に隣接したバルーンおよびカバーの実質的にすべての部分を含み、膨張圧力が少なくとも１気圧増加してカバーの降伏強度に打ち勝つまで、それぞれの複数の環状のステント要素は中間直径にほぼ到達するようになっている。
【０００７】
いくつかの例において、内部人工器官はステントグラフトを含み、柔軟なコネクターはグラフト材料を含み、複数の環状のステント要素は柔軟なコネクターを含む非金属性材料を介してのみ相互に接続されている。
【０００８】
いくつかの例において、柔軟なコネクターは柔軟な縦方向のコネクターを含む。
【０００９】
いくつかの例において、未展開状態における内部人工器官の周りで測定して医療集成体のプロファイルは約５〜約１０フレンチ（Ｆｒｅｎｃｈ）である。
【００１０】
いくつかの例において、未展開状態における医療集成体上のカバーの厚さは約０．０２５〜約０．０５１ミリメーターである。
【００１１】
いくつかの例において、カバーの半径方向の強度は、バルーンの膨張に対して抵抗を提供し、およびバルーンの膨張への内部人工器官の可変抵抗に逆らって未展開直径から展開直径への膨張の間の内部人工器官の一様でない膨張を緩和するように構成されている。
【００１２】
いくつかの例において、カバーはバルーンの全長の周りでバルーンを同心円状に取り囲む。
【００１３】
いくつかの例において、カバーはバルーンの中央部分における半径方向の強度と比較してバルーンの片方の終端または両方の終端においてより大きな半径方向の強度を提供する。
【００１４】
いくつかの例において、カバーはカバーの降伏強度に寄与するフランジブル層の究極強度で中間直径において破裂して中間直径を超える膨張に抵抗するように設計されたフランジブル層を含む。
【００１５】
いくつかの実施例において、カバーはカバーの降伏強度による膨張に増加した抵抗を提供して中間直径を超える膨張に抵抗するように構成された予め伸ばされた層を含む。
【００１６】
いくつかの例において、バルーンは、コンプライアント材料と、半コンプライアント材料と、非コンプライアント材料と、からなる群から選択された材料を含む。
【００１７】
いくつかの例において、展開直径は少なくとも１１ミリメーターである。
【００１８】
いくつかの例において、カバーは展開の間の隣接した環状のステント要素の一様でない膨張を制限して隣接した環状のステント要素の一様でない膨張による縮小力がカバーと内部人工器官との間の摩擦力を超えることを防止するように構成されており、および、隣接した環状のステント要素の制限された一様でない膨張により、内部人工器官は未展開直径から展開直径への膨張の間に縮小しない。
【００１９】
別の変形態様において、内部人工器官を移植する方法は、患者の血管の中に医療集成体の遠位末端を挿入することを含む。医療集成体は、第１の終端および第２の終端を有しおよび少なくとも１つの柔軟なコネクターを介して相互に柔軟に接続された複数の環状のステント要素を含むバルーンで膨張可能な内部人工器官と、その上に内部人工器官が集成されるカテーテル集成体とを含み、環状のステント要素は第１の終端および第２の終端の近傍にあり、内部人工器官は未展開直径を有する未展開状態から展開直径を有する展開された状態へ展開可能であり、カテーテル集成体はバルーンおよびバルーンの周りに沿ったカバーを含む。内部人工器官はバルーンおよびカバーの周りに同軸上に位置する。バルーンおよびカバーの１つまたは２つ以上の部分は未展開直径と展開直径との間の中間直径に到達し、そこで膨張圧力が少なくとも１気圧増加してカバーの降伏強度に打ち勝つまで、バルーンおよびカバーのこれらの部分がバルーン内の膨張圧力を増加させることにより膨らませられおよびほぼ中間直径においてほぼ維持される。方法は、医療集成体と伴に、患者の血管または患者の別の血管内の治療部位にバルーンにわたって乗せられた内部人工器官を送達し、およびバルーンを遠隔的に膨張させて内部人工器官を非展開直径から展開直径に膨張させることをさらに含む。
【００２０】
別の変形態様において、展開システムの製造方法は、第１の終端および第２の終端を有するバルーンで膨張可能な内部人工器官を膨張可能なバルーンおよびカバーを含むカテーテル集成体に集成し、内部人工器官はバルーンおよびカバーにわたって乗せられており内部人工器官はバルーンの膨張を介して展開可能であり、内部人工器官は未展開直径、および展開直径を提供するようになっている。内部人工器官は少なくとも１つの柔軟なコネクターを介して相互に柔軟に接続された複数の環状のステント要素を含み、環状のステント要素は第１の終端および第２の終端の近傍にあり、内部人工器官は未展開直径を有する未展開状態から展開直径を有する展開された状態へ展開可能である。バルーンおよびカバーの１つまたは２つ以上の部分は未展開直径と展開直径との間の中間直径に到達し、そこで膨張圧力が少なくとも１気圧増加してカバーの降伏強度に打ち勝つまで、バルーンおよびカバーのこれらの部分がバルーン内の膨張圧力を増加させることにより膨らませられおよびほぼ中間直径においてほぼ維持される。
【００２１】
いくつかの例において、上記方法は、カテーテル集成体への内部人工器官の組み立ての前に、中間直径にバルーンおよびカバーを膨らませることによりカバーを予め伸ばすことをさらに含む。
【００２２】
別の変形態様において、医療集成体は、第１の終端および第２の終端を有しおよび少なくとも１つの柔軟なコネクターを介して相互に柔軟に接続された複数の環状のステント要素を含むバルーンで膨張可能な内部人工器官と、その上に内部人工器官が集成されるカテーテル集成体と、を含み、環状のステント要素は第１の終端および第２の終端の近傍にあり、内部人工器官は未展開直径を有する未展開状態から展開直径を有する展開された状態へ展開可能であり、カテーテル集成体は、バルーンと、バルーンに連結されたカバーと、を含み、内部人工器官はバルーンおよびカバーの周りに同軸上に位置する。展開直径は少なくとも１１ミリメーターである。カバーは展開の間の隣接した環状のステント要素の一様でない膨張を制限して、隣接した環状のステント要素の一様でない膨張による縮小力がカバーと内部人工器官との間の摩擦力を超えることを防止するように構成されている。隣接した環状のステント要素の制限された一様でない膨張により、内部人工器官は未展開直径から展開直径への膨張の間に縮小しない。
【００２３】
いくつかの例において、隣接した環状のステント要素の制限された一様でない膨張は内部人工器官の縦軸に対して３５°以下の角度となる。
【００２４】
いくつかの例において、バルーンおよびカバーの１つまたは２つ以上の部分は未展開直径と展開直径との間の中間直径に到達し、そこで膨張圧力は少なくとも１気圧増加してカバーの降伏強度に打ち勝つまでバルーンおよびカバーのこれらの部分がバルーン内の膨張圧力を増加させることにより膨らませられおよびほぼ中間直径においてほぼ維持される。
【図面の簡単な説明】
【００２５】
本開示の特徴および利点は、図面と併せて以下に記載される詳細な説明からより明らかになるであろう。
【００２６】
【図１Ａ】図１Ａは、バルーンで膨張可能なステントグラフトの側面図を示す。
【図１Ｂ】図１Ｂは、バルーンで膨張可能なステントグラフトの側面図を示す。
【００２７】
【図２】図２Ａおよび図２Ｂは、内部人工器官送達システムの側面図および部分断面図を示す。
【００２８】
【図３】図３は、医療器具送達システムの切り欠き斜視図を示す。
【００２９】
【図４】図４Ａおよび図４Ｂは、展開されていないバルーンおよびカバーの断面図および展開されたバルーン、カバー、および内部人工器官の断面図をそれぞれ示す。
【００３０】
【図５】図５Ａ〜図５Ｅは、展開の様々な段階における内部人工器官送達システムの側面図を示す。
【００３１】
【図６】図６は、膨張の様々な段階におけるバルーンおよびバルーン上のカバーの断面図を示す。
【００３２】
【図７】図７Ａ〜図７Ｇは、展開の様々な段階の、バルーンの膨張に対する内部人工器官の可変抵抗に逆らうように構成されたバルーン上のカバーを含む内部人工器官送達システムの側面図を示す。
【００３３】
【図８】図８は、展開の様々な段階の、バルーンの膨張に対する内部人工器官の可変抵抗に逆らうように構成されたバルーン上のカバーを含む内部人工器官送達システムを使用した、内部人工器官の膨張中の直径および長さ対圧力を示すチャートである。
【００３４】
【図９】図９Ａ〜９Ｃは、ステントの側面図を示す。
【発明を実施するための形態】
【００３５】
内部人工器官は、「未展開」状態で血管中に挿入され、「展開された」状態に膨張され得る。これらの２つの状態の間で内部人工器官を移行させるために、未展開状態の内部人工器官内にバルーンを配置し膨張させてもよく、バルーンの膨張は内部人工器官を展開状態にする。しかし、バルーンは、内部人工器官の縦方向の長さを超えて伸長することができる。その結果、内部人工器官により拘束されていないバルーンの部分は、内部人工器官内のバルーンの部分に比べて急速に膨張し、このためバルーンは内部人工器官に縦方向の力を加え、内部人工器官の縦方向の長さを小さくする。本開示の態様は、以下でより詳細に考察される他の可能性のある特徴および利点の中でも、この影響を低減することができる。
【００３６】
「内部人工器具」、「内部人工器官」、「血管装置」などの用語は、本明細書および特許請求の範囲を通して、体内管腔内に埋め込みおよび／または展開することができる任意の医療器具をいうことができる。内部人工器官は、ステント、ステントグラフト、グラフト、フィルター、オクルーダー、バルーン、リード、およびエネルギー伝達器具、展開可能なパッチ、留置カテーテルなどを含むことができる。
【００３７】
さらに、本明細書および特許請求の範囲を通して、本明細書に記載の送達システムは、一般に「カバー」または「シース」により拘束された内部人工器官を含むことができる。カバーまたはシースは、内部人工器官の周囲に取り付けられる材料のシートを含むことができる。本明細書および特許請求の範囲を通して使用される用語「細長い部材」は、カテーテル、ガイドワイヤ、導入器シースなどのシャフト状構造物をいうことができる。内部人工器官は、本明細書では内側シャフトとも呼ばれるカテーテルに取り付けまたは装填され、および拘束された直径で、本明細書では外側シャフトとも呼ばれる導入器シース内に取り付けることができる。
【００３８】
さらに「遠位の」という用語は、医療器具が導入された体内の位置からより遠い相対的な位置をいう。同様に「遠位に」という用語は、医療器具が導入された体内の位置から離れる方向をいう。
【００３９】
「近位の」という用語は、医療器具が導入された体内の位置により近い相対的な位置をいう。同様に「近位に」という用語は、医療器具が導入された体内の位置に向かう方向をいう。
【００４０】
近位および遠位の用語に関して引き続き、本開示はこれらの用語に関して狭義に解釈されるべきではない。むしろ本明細書に記載の器具および方法は、患者の解剖学的構造に対して変更および／または調整することができる。
【００４１】
本明細書で使用される用語「拘束」は、（ｉ）自己膨張または器具により補助される膨張のいずれかを介して生じる、膨張可能なインプラントの直径の膨張を制限すること、または（ｉｉ）拡張可能なインプラントを覆うかまたは取り囲むが、（例えば、貯蔵または生体適合性の理由により、および／または膨張可能なインプラントおよび／または血管への保護を提供するため）他の方法で拘束しないことを意味することができる。
【００４２】
本明細書で使用される用語「脈管」は、これらの構築物が利用され得る体内の管腔状構造または管状構造をいう。これには、特に限定されるものではないが、血管、動静脈奇形、動脈瘤などの血管障害、リンパ系の血管、食道、腸の解剖学的構造、屈曲性腔、泌尿生殖器系、または他のそのような系または解剖学的特徴が含まれる。本明細書に開示された技術はまた、血管内または血管に関連する悪性疾患（例えば、癌）の治療に適し得る。
【００４３】
図１Ａおよび図１Ｂは、バルーンで膨張可能なステントグラフト１００を示す。ステントグラフト１００は内部人工器官の一例であり、環状のステント要素１０４を備えたグラフト部材１１４およびステント部材１０２を含む。
【００４４】
以下でさらに詳細に説明するように、ステントグラフト１００のようなステントはバルーン上で展開することができる。環状のステント要素１０４の終端要素は、隣接要素により拘束されず、環状のステント要素１０４の残りの部分よりも小さい膨張力で展開する。一貫したプロファイルを有する単純な展開バルーンでは、展開中、環状のステント要素１０４の終端要素は環状のステント要素１０４の他の要素よりも大きくなる。これにより軸方向の圧縮力が発生し、環状のステント要素１０４が、終端でバルーンの最も高い膨張部分からバルーンの膨張されていない部分まで中央に向かって押される。軸方向の縮小力は、環状のステント要素１０４の終端要素における一様でない膨張によるバルーンの角度の関数である。角度が増加するにつれて、軸方向の圧縮力が増加し、軸方向の圧縮力が増加すると、縮小される可能性が増加する。バルーンからの軸方向の力は、ステントまたはステントグラフトとバルーンとの間の摩擦と、内部人工器官の最も弱い縦方向部分の剛性との組み合わせにより抵抗される。バルーンからの軸方向の力が摩擦力を超えると、軸方向の縮小が起こり得る。
【００４５】
角度は、環状のステント要素１０４の終端要素の幅を横切る直径の差の関数である。より大きい直径の差はより大きな角度をもたらし、したがってより大きな縮小力をもたらすことができる。より大きな直径のステントは、展開中により大きな直径の差が可能である。縮小力は展開されるステントのサイズの関数であり得、より大きなステントの展開中に縮小力はより大きくなる。より大きなステント、例えば１１ミリメーター以上、約１２〜約１６ミリメーター、またはさらには１６ミリメーター以上のステントの場合、角度は環状のステント要素１０４の終端要素とバルーンとの間の摩擦力に打ち勝つのに十分であり、軸方向の縮小をもたらすことができる。しかし、１１ミリメーター未満のステントの場合、展開中の望ましくない縮小が起こり得る。
【００４６】
望ましくない縮小力に加えて、環状のステント要素１０４の終端要素の滑りは隣接する要素の膨張を妨げる場合がある。例えば環状のステント要素１０４の終端要素は、展開中に、隣接要素と重なるまで滑ることがある。環状のステント要素１０４の終端要素と隣接要素との重なりは、隣接要素の完全な膨張を妨害し得る。さらに隣接要素と環状のステント要素１０４の終端要素との間の間隔が短くなるため、ステントグラフト１００の小さい力による曲げ半径は、隣接する環状のステント要素１０４がカーブの内側で互いに接触して、ほとんどまたは全く曲がらなくなることで打ち消され得る。
【００４７】
本明細書で開示されるように、一様でない膨張によるバルーンの角度の減少は、展開中のステントグラフト１００の軸方向の縮小を緩和する。いくつかの例において、バルーン上のカバーはステントグラフト１００の全長または一部（例えば終端）について中間的な部分展開直径を生みだして、展開中の最大バルーン角度を３５°以下、例えば２０°以下、または１０°以下に減少させることができる。いくつかの例において、バルーンおよびカバーまたはそれらの一部は、未展開直径と展開直径との間の中間直径に到達するまで、バルーン内の膨張圧力を増加させることにより膨張させられ、膨張圧力が増加してカバーの降伏強度に打ち勝つまで、ほぼ中間直径でほぼ維持される。
【００４８】
高い曲げ柔軟性を有する内部人工器官は、縮小の影響を受けやすい。内部人工器官の曲げ柔軟性は、一部は環状のステント要素間のコネクターにより決定される。環状のステント要素間のコネクターは、剛性であってもよく、圧縮、折り畳み、または曲げられてもよい。一般に内部人工器官の曲げ柔軟性では、カーブの内側のコネクターが短くなり、および／またはカーブの外側のコネクターが長くなる必要がある。内部人工器官におけるこれらのコネクターの剛性は、曲げ柔軟性ならびに縮小柔軟性および伸長柔軟性に影響を与える。
【００４９】
本明細書で使用される「縦方向のステント要素」という用語は、環状のステント要素を相互接続するステントの一部を表すステント要素含むが、ステント要素は縦軸に平行に延びる必要はない（例えば、傾斜している、波打っている経路、または縦方向の構成要素を含む他の経路が考えられる）。一般に縦方向のステント要素は、環状のステント要素よりも小さい縦方向の剛性を提供する。したがって縦方向のステント要素の剛性は、ステントの曲げ、縮小、および伸長に対する抵抗性の第１の要因であり得る。
【００５０】
いくつかの例において、コネクターは、縦方向のステント要素（一般的には金属）などの縦方向の要素、またはグラフト材料などのコンプライアント材料から形成された縦方向の要素を含む。金属の縦方向ステント要素は、一般的によりコンプライアントな材料から形成される縦方向の要素よりも剛性であり得るが、縦方向のステント要素の設計（例えば、そのプロファイルおよび厚さ）は縦方向ステント要素の剛性に影響を与え、内部人工器官の設計における広範囲の曲げ柔軟性を提供するために縦方向のステント要素が選択されることができる。
【００５１】
ステントグラフト１００は、隣接する環状のステント要素１０４がカーブの内側で互いに接触するまで、グラフト部材１１４の剛性によってのみ決定される曲げ柔軟性を有し、これは一般に最小である。例えばステントグラフト１００は、隣接する環状のステント要素１０４がカーブの内側で互いに接触するまで５ニュートン以下の曲げ力を必要とすることがある。さらに、ステントグラフト１００の低力の曲げ半径は、隣接する環状のステント要素１０４が曲線の内側で互いに接触しているときのステントグラフト１００のカーブの半径であるため、隣接する環状のステント要素１０４の縦方向の幅に対する隣接する環状のステント要素１０４の間の間隔は、ステントグラフト１００の低力の曲げ半径に影響を与える。
【００５２】
曲げ柔軟性に影響を及ぼすことに加えて、縦方向のステント要素またはその欠如は、軸方向の縮小に必要なカラム強度および力にさらに影響する。縦方向のステント要素は一般に、展開中に加えられる軸方向の力に抵抗して縮小を減少させること助ける。対照的に、独立した環状のステント要素１０４の間に縦方向のステント要素を含まないステントグラフト１００はグラフト部材１１４のみによってのみ接続される。したがって、ステントグラフト１００の縮小力は、軸方向の比較的低い圧縮力に応答して発生することができる。このような軸方向の圧縮力は、展開中の一様でないバルーン膨張から生じることがある。例えばバルーンの終端が最初に膨張する場合、バルーンのさらなる膨張は、環状のステント要素を互いにより近づけるように圧縮する傾向がある。この作用は、より大きい直径で悪化する場合がある。
【００５３】
ステントの設計はしばしば、高い曲げ柔軟性により展開される大きい半径方向の力と小さい軸方向の縮小力とのトレードオフを含む。例えば比較的剛性のある縦方向のステント要素を有するステントは、一般に軸方向の小さい縮小力を提供しより大きい曲げ剛性を提供する。対照的に、独立した環状のステント要素１０４の間に縦方向のステント要素を含まないステントグラフト１００は、一般に小さい曲げ剛性を提供するが、展開中に容易に縮小力を受けやすい。より柔軟な縦方向のステント要素を有する内部人工器官は、より高い剛性の縦方向のステント要素を有する内部人工器官よりも、展開中により容易に縮小力を受けやすい。
【００５４】
ステントグラフト１００の具体例において、ステントグラフト１００は、隣接するステント要素を接続する縦方向要素のない独立した環状のステント要素１０４を含む。代わりにグラフト部材１１４は、隣接する独立した環状のステント要素１０４を接続する柔軟なコネクターを表す。このように環状のステント要素１０４は、グラフト部材１１４などの非金属材料を介してのみ互いに接続される。グラフト部材１１４は、縮小または曲げに対する抵抗が制限された完全に伸長された長さのステントグラフト１００のみを制限する傾向がある。
【００５５】
ステントグラフト１００は縦方向の要素を含まないと記載されているが、代替的にステントグラフト１００は、ＰＴＦＥ材料、ナイロン材料、または他の柔軟性材料、または低曲げ剛性の縦方向の要素から形成された縦方向の要素などの柔軟性のあるコネクターを含むことができる。このような柔軟な縦方向要素は、環状のステント要素１０４にグラフト部材１１４を取り付ける際に、環状のステント要素１０４を互いに対して所定の位置に保持することにより、ステントグラフト１００の製造を助けることができる。グラフト１４はまた、隣接する環状のステント要素１０４を柔軟に接続する柔軟なコネクターを表す。柔軟なコネクターが、低曲げ剛性の別個の縦方向ステント要素を含んでも、柔軟性材料および／またはグラフト１４から形成される縦方向要素を含んでも、隣接する環状のステント要素１０４を柔軟に接続する柔軟なコネクターを有するステントグラフト１００の機械的特性は同様である。
【００５６】
図１Ａのステントグラフト１００について、環状のステント要素１０４は、例えば環状パターンで整列された相互接続ワイヤーフレーム１０６を含むことができる。例えば環状のステント要素１０４は、１列の相互接続ワイヤーフレーム１０６を含むことができる。ワイヤーフレーム１０６の１つまたは２つ以上の点１１８は、隣接するワイヤーフレーム１０６の点１１８と接触および接続されてもよい。いくつかの例において、環状のステント要素１０４は、互いに独立して形成され、直接または環状のステント要素１０４の間の（ステントグラフト１００に含まれない）縦のステント要素により１つまたは２つ以上の点１１８で互いに接続された、多数の個々のワイヤーフレーム１０６を含むことができる。他の例において、ワイヤーフレーム１０６は単一の相互接続されたステント要素１０４として一緒に形成される。
【００５７】
ワイヤーフレーム１０６は、例えば平行四辺形などの多角形を含むことができる。いくつかの例において、ワイヤーフレーム１０６は菱形を含む。他の例において、ワイヤーフレーム１０６は正方形または長方形の形状を含むことができる。多角形ではない形状（卵形または丸い形状など）または起伏もしくは曲がりを含む形状を含むワイヤーフレーム１０６のいかなる形状も本開示の範囲内である。
【００５８】
いくつかの例において、ワイヤーフレーム１０６は金属材料を含む。例えばワイヤーフレーム１０６はステンレス鋼または他の合金などの鋼を含むことができる。他の例においてワイヤーフレーム１０６は、例えばＮｉｔｉｎｏｌなどの形状記憶合金を含むことができる。さらに他の例においてワイヤーフレーム１０６は、ポリマー材料のような非金属材料を含む。さらにワイヤーフレーム１０６の材料は、永続的（すなわち非生体吸収性）または生体吸収性であってもよい。十分な強度を有するワイヤーフレーム１０６のいかなる材料も本開示の範囲内である。
【００５９】
例えば環状のステント要素１０４は、１つの金属管から切断することができる。いくつかの例において、環状のステント要素１０４はステンレス鋼管からレーザーカットされる。しかし環状のステント要素１０４および／またはワイヤーフレーム１０６を形成するいかなる方法も本開示の範囲内である。
【００６０】
先に述べたように、ステントグラフト１００はグラフト部材１１４をさらに含む。グラフト部材１１４は、例えば血液が一方の側から他方の側に流れることができる管腔を提供することができ、一緒に固定されて単一のグラフト部材１１４を形成する多数の層または要素を含むことができる。
【００６１】
グラフト部材１１４は、例えば内部グラフト要素１０８を含むことができる。いくつかの例において、ステント部材１０２は内部グラフト要素１０８の周りに同心円状に配置される。例えば内部グラフト要素１０８は、血管内の血流と接触する管腔表面１１０を有するポリマー材料の層を含むことができる。ステント部材１０２は、内部グラフト要素１０８を取り囲み、接触し、これに支持を提供することができる。
【００６２】
グラフト部材１１４は、例えば外部グラフト要素１１２をさらに含むことができる。いくつかの例において、外部グラフト要素１１２はステント部材１０２の少なくとも一部を同心円状に取り囲む。例えば外部グラフト要素１１２はステント部材１０２と内部グラフト要素１０８とを取り囲み、基本的に２つのグラフト要素１０８と１１２との間にステント部材１０２の環状のステント要素１０４を挟んでいる。
【００６３】
内部グラフト要素１０８および外部グラフト要素１１２は、例えば延伸ポリテトラフルオロエチレン（ｅＰＴＦＥ）、ポリエステル、ポリウレタン、パーフルオロエラストマーなどのフルオロポリマー、ポリテトラフルオロエチレン、シリコーン、ウレタン、超高分子量ポリエチレン、アラミド繊維、およびそれらの組み合わせの１つまたは２つ以上を含むことができる。外部グラフト要素１１２は、超高分子量ポリエチレン繊維（例えば、Ｓｐｅｃｔｒａ（商標）、Ｄｙｎｅｅｍａ  Ｐｕｒｉｔｙ（商標）など）またはアラミド繊維（例えばＴｅｃｈｎｏｒａ（商標）など）などの高強度ポリマー繊維を含むことができる。さらに外部グラフト要素１１２は、ポリマー材料の１つまたは２つ以上の層を含むことができ、内部グラフト要素１０８に関連して説明したような管または巻き付けられた要素であってもよい。いくつかの例において、内部グラフト要素１０８および外部グラフト要素１１２は同じポリマー材料を含む。他の例において、内部グラフト要素１０８および外部グラフト要素１１２は異なるポリマー材料を含む。
【００６４】
このような例において、内部グラフト要素１０８および外部グラフト要素１１２は、多数の環状のステント要素１０４のそれぞれの位置を配向させ維持することができるため、グラフト１４はステントグラフト１００の柔軟なコネクターとして機能する。例えばステント部材１０２のそれぞれの環状のステント要素１０４は、内部グラフト要素１０８に沿った所望の位置に配置され、次に外部グラフト要素１１２により取り囲まれ得る。環状のステント要素１０４が内部グラフト要素１０８に沿って正しく配置された後、内部グラフト要素１０８および外側グラフト要素１１２は互いに接合される。例えば熱を加えて内部グラフト要素１０８と外部グラフト要素１１２を一緒に結合させることができ、これによりグラフト部材１１４に対する環状のステント要素１０４の位置を維持することができる。
【００６５】
第１の環状のステント要素１０６ａは第１の頂点１２０ａを含み、第２の環状のステント要素１０６ｂは第２の頂点１２０ｂを含む。第１の頂点１２０ａと第２の頂点１２０ｂは互いに隣接していてもよい。例えば第１の環状のステント要素１０６ａおよび第２の環状のステント要素１０６ｂは、第１の頂点１２０ａと第２の頂点１２０ｂが縦軸１９２に直交する共通平面１９０にあるように、互いに対して配向されてもよい。別の言い方をすると、第１の頂点１２０ａと第２の頂点１２０ｂは互いに同位相である。他の例において、第１の頂点１２０ａと第２の頂点１２０ｂは、縦軸１９２に直交する共通平面にはない（すなわち、頂点１２０ａおよび１２０ｂは、位相がずれているか、または互いに同一平面上にない）。特定の例について説明されているが、同じ医療器具（すなわち、ステントグラフト）による複数の異なる配向を含む環状のステント要素１０４のいかなる配向も本開示の範囲内である。
【００６６】
ステントグラフト１００は、患者の治療部位内に送達され、その中で展開されてもよい。例えば図２Ａおよび２Ｂを最初に参照すると、ステントグラフト１００が準備され、連続管腔２６４を有するカテーテル管２６２を含むカテーテル集成体２６０に取り付けられてもよい。カバー２６６はバルーン２６８を同軸的に取り囲むことができ、これはカテーテル管２６２（図２Ｂに示される）および連続管腔２６４にカテーテル管２６２の遠位末端またはその近傍で連結され得る。カテーテル管２６２へのカバー２６６の取り付けは、例えばシアノアクリレート接着剤などの接着剤を使用して、カバー２６６の近位末端および遠位末端をカテーテル管２６２に接着することを含む様々な方法で達成することができる。さらにポリマーテープおよび／またはフィルムを使用して、カバー２６６の近位末端および遠位末端をカテーテル管２６２に固定することができる。
【００６７】
バルーン２６８は、例えば加圧時に患者の血管構造内で膨張することができるほぼ管状のバルーンを含むことができる。例えば生体適合性流体（例えば、水または生理食塩水）をカテーテル管２６２に導入し、連続管腔２６４を通過させ、バルーン２６８の内部に位置するカテーテル管２６２内の膨張ポート（図示せず）を通過させて、バルーン２６８を加圧してもよい。バルーン２６８への圧力が増加すると、バルーン２６８の直径も増加する。
【００６８】
バルーン２６８は、例えば非コンプライアントな一般に非弾性のバルーンを含むことができる。そのような例ではバルーン２６８が、十分な加圧時にバルーン２６８が選択された直径まで膨張し、破裂圧力に到達するまでさらなる加圧下で選択された直径またはその近くに留まることを可能にするように構成された材料（例えば、ナイロン、ポリエチレン、ポリエチレンテレフタレート（ＰＥＴ）、ポリカプロラクタム、ポリエステル、ポリエーテル、ポリアミド、ポリウレタン、ポリイミド、ＡＢＳコポリマー、ポリエステル／ポリエーテルブロックコポリマー、イオノマー樹脂、液晶ポリマー、および剛直棒状ポリマー）を含むことができる。
【００６９】
いくつかの例において、バルーン２６８はコンプライアントな比較的弾性のあるバルーンを含むことができる。このような例において、バルーン２６８は、バルーン２６８への圧力が増加するにつれてバルーン２６８の直径が連続的に増加することを可能にするように構成された材料（例えばポリウレタン、ラテックス、およびポリシロキサンのようなエラストマーオルガノシリコーンポリマー）を含むことができる。コンプライアントな比較的弾性のバルーンは、展開中の望ましくない真っ直ぐにする力を緩和することができるため、患者の血管構造内のようなカーブの周りで展開するのに適している。しかし、非コンプライアントな全体に弾力性のないバルーンと比較して、コンプライアントで比較的弾性のバルーンは、内部人工器官の要素間に角度を生じさせて軸方向の圧縮力を発生させる一様でない展開の影響をより受けやすい。特に、真っ直ぐにする力が比較的小さい構成を有する独立した環状のステント要素を用いた内部人工器官を有するコンプライアントなバルーンの使用は、展開中の縮小を特に受けやすい場合がある。
【００７０】
さらに他の例において、バルーン２６８は半コンプライアントなバルーンを含む。そのような例においてバルーン２６８は、コンプライアントな属性と非コンプライアントな属性の組み合わせで挙動する。コンプライアントなおよび非コンプライアントな例に関連して説明されているが、コンプライアントな挙動と非コンプライアントな挙動の組合せでバルーン２６８が患者の身体内で予測可能に膨張することを可能にするいかなる材料または構成も本開示の範囲内である。真っ直ぐにする力が小さいバルーンの例は、米国特許出願公開第２０１４／０２７６４０６号（名称「Ｃｏｎｆｏｒｍａｂｌｅ  ｂａｌｌｏｏｎ  ｄｅｖｉｃｅｓ  ａｎｄ  ｍｅｔｈｏｄｓ」）に開示されており、その全内容は参照により本明細書中に取り込まれる。
【００７１】
図３について、バルーン２６８およびカバー２６６はステントグラフト１００の長さにわたる部分展開中間直径を生成して、展開中の最大バルーン角度を３５°以下、例えば２０°以下、さらには１０°以下に低下させることができる。いくつかの例において、バルーン２６８およびカバー２６６は、バルーン２６８およびカバー２６６上に取り付けられた内部人工器官の未展開直径と展開直径との間の中間直径に到達するまで、バルーン２６８内の膨張圧力を増加させることにより膨張される。中間直径は、膨張圧力が増加してカバー２６６の降伏強度に打ち勝つまで、ほぼ中間直径でほぼ維持され得る。このような例は、コンプライアントな比較的弾性のあるバルーン、独立した環状のステント要素を有する内部人工器官、および／または比較的大きな直径の内部人工器官で特に有用であり得る。
【００７２】
１つの変形態様においてカバー２６６は、カバー２６６の降伏強度に寄与するフランジブル層の究極強度で中間直径において破裂して、降伏前に中間直径を超える膨張に抵抗するように設計されたフランジブル層を含むことができる。フランジブル層が膨張圧力の増加のために破損すると、バルーン２６８およびカバー２６６の膨張が展開された直径まで継続することができる。
【００７３】
別の変形態様においてカバー２６６は、中間直径を越える膨張に抵抗するカバーの降伏強度により膨張に増加した抵抗を提供するように構成された予め伸ばされた層を含むことができる。例えば、内部人工器官を取り付ける前に、バルーン２６８およびカバー２６６の集成体を中間直径まで部分的に膨張させることができる。このような部分的な膨張は、内部人工器官の展開前に、バルーン２６８およびカバー２６６の１つまたは２つ以上の層に降伏および塑性変形を生じさせ、こうして内部人工器官の中間直径展開までバルーン２６８およびカバー２６６の膨張に対する抵抗を低減する。中間直径に到達すると、バルーン２６８およびカバー２６６の１つまたは２つ以上の層は、再び降伏してさらなる膨張を可能にする必要があり、こうして中間直径での膨張に対する増加した抵抗が提供される。
【００７４】
別の変形態様において、らせん状ラップを含むカバー、および１つの実施態様においてらせん状に巻き付けられたカバーは、直径が縮小またはネックダウンされて、カバー内のフィブリルまたは強度部材を縦方向に配向し、次に内部人工器官を取り付ける前に、中間直径まで部分的に膨張させることができる。このような部分的な膨張は、カバー内のフィブリルまたは強度部材のらせん状の巻き付け角度および配向をより円周方向に変化させ、さらに膨張するのに必要な膨張圧力の量を実質的に変化させることができる。このようにして、膨張曲線の「ステップ」またはポーズが中間直径で達成される。
【００７５】
いくつかの例において、バルーン２６８は複数のプリーツ３７０を含むことができる。プリーツ３７０は、例えば縦軸１９２の少なくとも一部に沿って全体に延びるバルーン２６８の材料の折り目または屈曲点を含むことができる。そのような例においてバルーン２６８は、１つまたは２つ以上のプリーツ３７０を有するほぼ管状の形態を含む。
【００７６】
いくつかの例において、バルーン２６８はカバー２６６により同軸的に取り囲まれてもよい。カバー２６６は、バルーン２６８の外面に実質的に一致し得る内面を含むことができ、従ってバルーン２６８とカバー２６６の両方は、バルーン２６８が収縮した場合も含めて、実質的に同じ形状を含む。しかし他の例において、カバー２６６はバルーン２６８とは異なる形状または構成を含むことができる。
【００７７】
いくつかの例において、カバー２６６は複数のプリーツ３７２を含むことができる。バルーン２６８と同様にプリーツ３７２は、カバー２６６の材料内に例えば全体に縦軸の少なくとも一部に沿って延びる折り目または屈曲点を含むことができる。そのような例においてカバー２６６は、２つまたはそれ以上のプリーツ３７２を有する全体に管形状を含む。いくつかの例において、カバー２６６はバルーン２６８と同じ数のプリーツ３７２を含む。バルーンカバー２６６の全作用長さの少なくとも一部分に沿って、バルーンカバー２６６の内面は、プリーツされ折り畳まれた構成およびプリーツのない膨張した構成の両方で、バルーン２６８の外面と接触する。すなわち図３に示されるように、カバー２６６のプリーツ部分は、その構成がバルーン２６８の対応するプリーツ部分に実質的に対応し、カバー２６６の非プリーツ部分はその構成がバルーン２６８の対応する非プリーツ部分に実質的に対応する。
【００７８】
プリーツ３７０および３７２は、カバー２６６およびバルーン２６８内に同時に形成することができる。例えばバルーン２６８はカバー２６６によって同軸的に取り囲まれてもよく、プリーツ３７０および３７２はバルーン２６８およびカバー２６６の両方の中にそれぞれ形成されてもよい。
【００７９】
他の例において、プリーツ３７２は、プリーツ３７０がバルーン２６８内に形成された後にカバー２６６内に形成されてもよい。例えば、あらかじめプリーツされたバルーン２６８がカバー２６６により同軸的に取り囲まれてもよい。そのような例において、カバー２６６とあらかじめプリーツされたバルーン２６８は使用圧力まで一緒に膨張され、その後カバー２６６およびバルーン２６８は機械的プリーツ形成プロセスを受けて、あらかじめプリーツされたバルーン２６８内と同じ数および構成のプリーツをカバー２６６内に形成することができる。カバー２６６内にプリーツ３７２を形成している間に、カバー２６６とバルーン２６８の両方を収縮させて、患者の体内に送達するように圧縮することができる。特定の例で説明されているが、カバー２６６内にプリーツを形成するいかなる方法も本開示の範囲内である。
【００８０】
さらに他の例において、バルーン２６８は複数のプリーツ３７０を含むことができ、カバー２６６はプリーツ３７２を含まなくてもよい。そのような例において、プリーツ３７０はバルーン２６８内に形成され、その後カバー２６６がバルーン２６８の外面の周りに同軸的に配置される。
【００８１】
さらに、プリーツ３７０およびプリーツ３７２は規則的な間隔で一致しているように図示されているが、他の例において、プリーツ３７０およびプリーツ３７２のいずれかまたは両方をマイクロプリーツで置換することができ、材料は所定の折り目またはプリーツ位置なしで単に押しつぶされる。
【００８２】
いくつかの例において、バルーンカバー２６６とバルーン２６８は別々に形成され、一旦カバー２６６およびバルーン２６８で組み立てられると、異なる折り目またはプリーツを有することができる。特定の例（すなわち、バルーン２６８とカバー２６６の両方がプリーツを有するか、またはバルーン２６８もしくはカバー２６６のみがプリーツを有する）に関連して記載されているが、バルーン２６８および／またはカバー２６６が複数のプリーツを含むかまたはプリーツを含まないいかなる構成も本開示の範囲内である。
【００８３】
カバー２６６は、例えば延伸ポリテトラフルオロエチレン（ｅＰＴＦＥ）、改質（例えば緻密化）ｅＰＴＦＥ、ＰＴＦＥの発泡コポリマーなどの発泡フルオロポリマー、発泡ポリエチレン、織布および不織布、またはフィルムなどのポリマーを含むことができる。発泡フルオロポリマーの非限定例としては、特に限定されるものではないが、延伸ＰＴＦＥ、延伸改質ＰＴＦＥ、およびＰＴＦＥの発泡コポリマーが挙げられる。ＰＴＦＥの発泡ブレンド、発泡改質ＰＴＦＥ、およびＰＴＦＥの発泡コポリマーについては、例えばＢｒａｎｃａの米国特許第５，７０８，０４４号；Ｂａｉｌｌｉｅの米国特許第６，５４１，５８９号；Ｓａｂｏｌらの米国特許第７，５３１，６１１号；Ｆｏｒｄの米国特許第８，６３７，１４４号；およびＸｕらの米国特許第９，１３９，６６９号などの特許が出願されている。これらの前述の各特許の全内容は、参照により本明細書に取り込まれる。
【００８４】
いくつかの例において、ポリマーは節およびフィブリル微細構造を含むことができ、ポリマーは高度にフィブリル化されてもよい（すなわち、溶融フィブリルの不織布）。特定のポリマーに関連して記載されているが、カバー２６６が患者の体内で予測可能な方法で膨張することを可能にするいかなる材料または構成も本開示の範囲内である。
【００８５】
いくつかの例において、カバー２６６は複数の層のポリマー材料を含むことができる。例えばカバー２６６は、基材またはマンドレルの上に連続的に包まれて全体に管状の部材を形成するポリマー材料を含むことができる。いくつかの例において、カバー２６６は、ポリマー材料の円周方向、らせん状、または軸方向の配向で構成することができる。そのような例においてポリマー材料は、マンドレルまたは基材の縦軸に概して垂直に、すなわち円周方向に巻き付けることができる。他の例において材料は、マンドレルまたは基材の縦軸に対して０°より大きく９０°未満の間の角度で、すなわち、らせん状に巻き付けられてもよい。さらに他の例においてポリマー材料は、マンドレルまたは基材の縦軸にほぼ平行に、すなわち軸方向（または縦方向）に巻き付けられてもよい。
【００８６】
図２Ｂについてカバー２６６は、例えばバルーン２６８の長さ２８０よりも長い長さ２８２を有することができる。いくつかの例において、カバー２６６はバルーン２６８の周りに配置されて、第１のカバー終端２７０および第２のカバー終端２７２が第１のバルーン終端２７４および第２のバルーン終端２７６を超えて伸びる。そのような例において、第１のカバー終端２７０または第２のカバー終端２７２に配置されるカバー２６６の材料のセグメント２８４は縦軸１９２に沿って（すなわち軸方向に）圧縮され得る。例えば図４Ａおよび図４Ｂについて、カバー２６６の材料のセグメント２８４は、第１のカバー終端２７０において軸方向に圧縮され（例えば、押しつぶされ）、セグメント２８６は第２のカバー終端２７２においてが軸方向に圧縮され得る。
【００８７】
図４Ａおよび図４Ｂに示されるように、セグメント２８４および／またはセグメント２８６は、第１のバルーンショルダー２９０および／または第２のバルーンショルダー２９２と整列している。他の例において、セグメント２８４および／または２８６は、バルーン２６８の異なる部分と整列している。図４Ａおよび図４Ｂにおいて、第１のバルーンショルダー２９０および／または第２のバルーンショルダー２９２は、円錐形のショルダーである。特定の例について説明されているが、バルーンショルダーのいかなる形状も本開示の範囲内である。
【００８８】
セグメント２８４は、例えば第１のバルーンショルダー２９０の少なくとも一部を囲むように配置することができ、セグメント２８４は第２のバルーンショルダー２９２の少なくとも一部を取り囲むように配置することができる。バルーンショルダー（例えばバルーンショルダー２９０および２９２）の周りに追加の軸方向に圧縮された（例えば押しつぶされた）材料を提供することは、バルーンショルダーの全体的部位においてカバー２６６の厚さおよび／または密度を増加させることができる。さらに、バルーンショルダーの上にカバー２６６の軸方向に圧縮された追加の材料を有することにより、膨張中のバルーンへの軸方向の圧縮を制限しながら、バルーン２６８の半径方向の膨張を可能にする。例えばこれらの圧縮部分を有さない場合、バルーンのショルダーはバルーン本体より先に膨張し、バルーンおよび内部人工器官の軸方向圧縮を引き起こす。しかし軸方向に圧縮された材料を有する場合、バルーンのショルダーは、全体としてバルーン内の圧力がバルーンの本体を取り囲むカバーおよび内部人工器官をより完全に膨張させるのに十分になるまで、内部人工器官の軸方向圧縮が（例えば、バルーンの膨張部分とバルーンの未膨張またはあまり膨張されていない部分との間の角度の変化により）より少なくなるような様式で、膨張することができる。さらに、バルーンショルダー２９０および２９２の全体的部位における厚さおよび／または密度の増加は、バルーンショルダーに追加の半径方向の強度を提供して同様の効果を達成することができる。
【００８９】
前述のように、バルーン２６８はバルーン２６８内に加圧流体を供給することにより膨張させることができる。図５Ａ〜図５Ｅは、バルーン２６８が膨張したときにバルーン２６８の膨張を所定の中間直径に制限するカバー２６６の一例を示す。ステントグラフト１００の中間部分２００は、ステントグラフト１００の中間部分２０において、ならびに自由終端１９６、１９８またはその近傍において、バルーン２６８の膨張に対して抵抗を与える。カバー２６６もまたバルーンの膨張に抵抗性を与えて、ステントグラフト１００の中間部分２００におけるバルーン２６８の膨張率に対するステントグラフト１００の自由終端１９６、１９８におけるバルーン２６８の膨張率の差を減少させ、こうして、バルーン２６８がステントグラフト１００をその非展開状態（図５Ａ）から展開された状態（図５Ｅ）に膨張させるときに、ステントグラフト１００の縦方向の圧縮を低減する。いくつかの例においてカバー２６６は、ステントの中間部分２００におけるバルーン２６８の膨張率を、自由終端１９６、１９８またはその近傍（例えば、ショルダーの近傍またはショルダー）におけるバルーンの膨張率と等しくするように作用する。
【００９０】
いくつかの例において、軸方向に圧縮されたセグメント２８４および／または２８６は、バルーンショルダー２９０および２９２の膨張に対して追加の抵抗を提供するように構成され、バルーン２６８の中央部分２９４をそのようなセグメント２８４および２８６が無い場合より容易に膨張するようにして、これがバルーンショルダーの膨張を、制限してバルーン２６８の中央部分２９４の膨張により密接に一致させる。軸方向に圧縮されたセグメント２９０および／または２８２はまた、バルーンショルダー２９０および／または２９２の膨張を実質的に妨げることもできる。いくつかの例において、これは、これらの部位におけるバルーン膨張の程度を制御する効果を有し、これが次に、バルーン２６８および／またはステントグラフト１００の膨張プロファイルを制御する。
【００９１】
いくつかの例においてバルーン２６８の膨張は、ステントグラフト１００の望ましくない膨張特性を低減できるような様式で、被覆されたセグメント２８４および／または２８６により制御され得る。例えば、被覆されたセグメント２８４および／または２８６は、膨張中のステントグラフト１００の縮小度を低減することができる。特にセグメント２８４および／または２８６は、例えばバルーンのショルダー部分とバルーンまたはステントグラフトの中央部分の間の角度が小さくなるために、膨張するバルーンショルダーから生じる軸方向の力が著しく低減される特定の膨張プロファイルにバルーンを押し込むように構成することができる。さらに、被覆されたセグメント２８４および／または２８６は、ステントグラフト１００の積み重ね（例えば、膨張中の環状のステント要素１０４間の間隔の縮小）を低減または防止することができる。
【００９２】
図２Ａおよび図２Ｂについて、バルーン２６８がカバー２６６に囲まれた後、ステントグラフト１００はバルーン２６８およびカバー２６６上に搭載されていてもよい。例えばステントグラフト１００は、バルーン２６８およびカバー２６６の一部を同心円状に取り囲むように配置されてもよい。いくつかの例において、いったんステントグラフト１００がバルーン２６８およびカバー２６６の周りに適切に配置されると、ステントグラフト１００は半径方向に圧縮されて非展開直径２４２になる。例えばステントグラフト１００は非展開直径２４２に圧縮されて、治療部位内に移植する際にステントグラフト１００のプロファイルを低下させる。さらにステントグラフト１００は、展開前にバルーン２６８上のステントグラフトの動きに抵抗するように、バルーン２６８およびカバー２６６上に圧縮されてもよい。圧迫後、未展開状態のステントグラフト１００の周りで測定された医療集成体のプロファイルは、約５〜約１０フレンチであり、カバー２６６の厚さは約０．０２５〜約０．０５１ミリメーターであってもよい。
【００９３】
いくつかの例において、圧縮後ステントグラフト１００はそれ自体がカバー２６６内に埋め込まれることができる。例えばそれ自体をカバー２６６に埋め込むことにより、ステントグラフト１００は改善されたステント保持を示すことができる。このような改善されたステント保持は、例えば患者の治療部位への展開中に、カバー２６６および／またはバルーン２６８に対するステントグラフト１００の適切な配置を維持するのを助けることができる。
【００９４】
その圧縮された構成と膨張された構成との間の内部人工器官の（例えば、一方の自由終端１９６と反対側の自由終端１９８との間で測定される）長さの減少を制限する別の方法は、ステント部材１０２の環状のステント要素１０４の位置および／または向きを変更することによる。特に、いくつかの例においてステント部材１０２の１つまたは２つ以上の環状のステント要素１０４の位置および／または向きは、ステントグラフト１００の圧縮前に変更されてもよい。例えば、ステントグラフト１００の圧縮前に、２つまたはそれ以上の隣接する環状のステント要素１０４の間の距離を減少させることができる。より具体的な例について、１つまたは２つ以上の環状のステント要素１０４は、互いに約１ミリメーター未満離れているように、または互いに接触しているように（すなわち、互いに０ミリメーター離れている）ように、移動させることもできる。
【００９５】
他の例において、環状のステント要素１０４の位置および／または向きは、ステントグラフト１００の圧縮後に変更することができる。例えば図２Ａについて、ステントグラフト１００は、２つまたはそれ以上の環状のステント要素１０４の縦方向間隔を縮小することにより変更され得る長さを有する。例えば、隣接する環状のステント要素１０４の間の縦方向の間隔を縮小することは、ステント要素１０４が展開された状態に膨張される場合に回復される格納された縦方向の長さを作り出す。例えば格納される縦方向の長さは、ステントグラフト１００の膨張および展開の際に回復される（すなわち、軸方向に膨張される）隣接する環状のステント要素１０４の間の軸方向に圧縮された環内グラフトセグメント１２２のグラフト材料の長さまたはセグメントとして定義され得る。ステントグラフト１００の「展開されていない長さ」は、一般に送達前の圧縮状態のステントグラフト１００をいい、ステントグラフト１００の「展開された長さ」は、一般に膨張された状態のステントグラフト１００をいう。いくつかの例において、環状のステント要素１０４の間隔を変更することにより、未展開長さ（例えば、図２Ａ中の長さ２４０）と呼ばれ得る新しい長さを作り出す。
【００９６】
言い換えると、隣接するステント要素１０４の間の間隔を低減することにより、環内グラフトセグメント１２２を軸方向に圧縮または押しつぶすことができる。軸方向圧縮により格納された長さを作り出しても、ステントグラフト１００の外径は増加しない。格納された長さを作り出しながら器具の直径を増加させないことにより、器具の横断面は最小のままであり、したがって血管系を通るステントグラフトの送達に悪影響を及ぼさない。同時に、格納された長さの回復は、例えばバルーンを膨張させることに起因する軸方向の圧縮力による長さの損失を低減または相殺するステントグラフトの能力を高める。
【００９７】
患者の治療部位にステントグラフト１００を送達すると、ステントグラフト１００を展開することができる。いくつかの例においてステントグラフト１００は、バルーン２６８を所望の直径まで膨らませることにより展開され、それによりステントグラフト１００の直径が未展開直径２４２から展開直径１４６まで増加する。バルーン２６８が十分に膨張した後、展開直径１４６が達成され、バルーン２６８は収縮されることができ、カテーテル集成体２６０を患者の体から取り出すことができる。
【００９８】
展開された長さ１４８は、例えば展開されていない長さ２４０よりも短くてもよい。例えば展開された長さ１４８は展開されていない長さ２４０の約６０％〜約１００％、さらに約８０％〜約１００％、さらに約９５％〜約１００％であり得る。試験により、特定の実施例では未展開長さの９９％を超える展開長さ１４８が達成され、したがって縮小長さが１％未満であることを証明している。ステントグラフトが高率の未展開長さを達成する能力は、本明細書では縦方向の効率とも称される。
【００９９】
またステントグラフト１００を未展開の構成から展開された構成に膨張することにより、例えば環状のステント要素１０４の１つまたは２つ以上のワイヤーフレーム１０６の内角を増加させることもできる。例えばステントグラフト１００が展開された構成である場合、環状のステント要素１０４のワイヤーフレーム１０６の内角１８８は約７０°〜１１０°、さらには約８０°〜１００°とすることができる。
【０１００】
上述のように、ステントグラフト１００の膨張はバルーン２６８を所望の直径に膨張させることを含むことができ、それによりステントグラフト１００の直径を未展開直径２４２から展開直径１４６まで増加させることができる。図５Ａ〜図５Ｅに示されるように、ステントグラフト１００の外面に沿った角度は、ステントグラフト１００の部分的に膨張した部分とステントグラフト１００の完全に膨張した部分との間のステントグラフト１００の中央の縦軸に対して存在する。比較的大きな直径のステントグラフトについて、この角度は、バルーン２６８の膨張力に抵抗しながら、ステントグラフト１００の中心に向かって縦方向にスライドする個々の環状のステント要素１０４による膨張中に、環状のステント要素１０４の間の間隔の低下をもたらすことができる。例えば、約１０ミリメーターまたはそれ以上の直径を有するステントグラフトは、膨張中の環状のステント要素１０４の間の間隔の減少を経験することがある。
【０１０１】
いくつかの例においてバルーン膨張プロファイルは、バルーン上のカバーの使用により制御され得る。このようなカバーが膨張時にステントグラフトの縦方向寸法にわたってバルーン直径の差を減少させるように、膨張プロファイルを変えることができるいくつかの方法がある。バルーンにカバーを追加することは、ある範囲の膨張圧力にわたって一定の直径を達成する能力を提供する。展開中のステントグラフトの曲げ柔軟性を維持するために、カバーは屈曲の一方の側で伸長しおよび／または他方の側で縮小することができる。弾力性バルーンのようなバルーン上に位置する屈曲部に配置されたときに伸長および／または縮小する能力を有するカバーは、制御された膨張プロファイルを提供することができ、それにより展開中にバルーン角度を制限して、曲げ柔軟性を維持しながらステントグラフトの軸方向の圧縮を緩和することができる。
【０１０２】
いくつかの例において、ステントグラフトの外面に沿った角度は、バルーンの膨張を制御して展開中のステントグラフトの縦方向寸法にわたって膨張をバランスさせることにより制限され得る。例えば、バルーン内またはバルーン上の層、例えばバルーン上のカバーは、バルーンの膨張に対するステントの可変抵抗に逆らって、未展開直径から展開直径への移行の間のステントグラフトの一様でない膨張を緩和することができる。そのような層は、バルーンの軸方向に圧縮された部分と一緒になって、バルーンの膨張に対するステントの可変抵抗に逆らってステントの一様でない膨張を緩和することができる。例えばバルーンのそのような軸方向に圧縮された部分は図４Ａおよび４Ｂについて上述されており、カバー２６６の材料のセグメント２８４は第１のカバー終端２７０において軸方向に圧縮され（例えば押しつぶされ）、セグメント２８６は第２のカバー終端２７２において軸方向に圧縮され得る。
【０１０３】
バルーン内またはバルーン上の層は、バルーンの膨張に対するステントの可変抵抗に逆らって、ステントのより弱い部分におけるバルーンの展開に対する増大した抵抗力を提供することにより、ステントグラフトの一様でない膨張を緩和することができる。このようにして、このような層がバルーンの縦方向寸法全体にわたってまたはステントグラフトの縦方向寸法全体にわたって伸長する必要はない。代わりに、ステントの一様でない膨張を緩和するためにバルーンの膨張に対するステントの可変抵抗に逆らうように構成されたバルーン内またはバルーン上の層は、ステントグラフトの膨張がステントグラフトの他の縦方向のセクションより多くの抵抗を提供する１つまたは２つ以上の縦方向のセクションに沿って、存在しないかまたは最小であることができる。例えば層は、バルーンの覆われていない終端に、および任意にステントグラフトの終端および／または個々の環状のステント要素の間のスペースを含むステントグラフトのより弱い部分に存在し得る。
【０１０４】
同じかまたは異なる実施例において、バルーンの膨張に対するステントの可変抵抗に逆らって未展開直径から展開直径への移行中のステントの一様でない膨張を緩和するように構成されたバルーン内またはバルーン上の層は、部分的に展開されたバルーン直径で膨張に対して増加した抵抗を提供し得る。例えばそのような層は、バルーン内の圧力がフランジブル層の強度に打ち勝つのに十分になるまで、バルーンの膨張を一時停止させるように設計された拘束層を提供することができる。このような圧力は、バルーンの縦方向部分間の角度を制限することができ、バルーンの任意の縦方向部分が完全膨張された状態に到達する前に、バルーンのすべての縦方向の部分が部分膨張状態に到達することを確実にすることができる。
【０１０５】
いくつかの例において、バルーンおよびカバーまたはその一部は、未展開直径と展開直径との間の中間直径に到達するまでバルーン内の膨張圧力を増加させることにより膨張され、膨張圧力が増加してカバーの降伏強度に打ち勝つまで、ほぼ中間直径においてほぼ維持される。１つの変形態様において、カバーは中間直径で破裂するように設計されたフランジブル層を含むことができ、フランジブル層の究極強度はカバーの降伏強度に寄与して、降伏前に中間直径を超える膨張に抵抗する。いったん増加した膨張圧力によりフランジブル層が破損すると、バルーンおよびカバーの膨張は展開直径まで継続することができる。別の変形態様においてカバーは、カバーの降伏強度による膨張に対して増大した抵抗を提供して中間直径を超える膨張に抵抗するように構成された予め伸ばされた層を含むことができる。いずれの例においても、環状のステント要素の角度は展開中の縮小力を緩和するように制限されてもよい。いくつかの例において環状のステント要素の角度は、３５°以下、例えば２０°以下、またはさらには１０°以下に制限されてもよい。
【０１０６】
一般に、ナイロン性（または他のポリマー性）バルーンは曲げの柔軟性がほとんどないが、膨張中のステントグラフトの縦方向寸法にわたるバルーン直径の差異の間に、広範囲の膨張圧力にわたってほぼ一定の直径を達成することができる。一方弾力性バルーンは高度の曲げ柔軟性を有するが、膨張時に拘束されなければ、ある範囲の膨張圧力にわたって大きいバルーン角度をもたらすことがある。弾力性バルーンを有するカバーを含めることは、ある範囲の膨張圧力にわたって直径の差異を緩和し、広範囲の膨張圧力にわたって膨張中のステントグラフトの縦方向寸法にわたるバルーン直径の差を緩和することができる。
【０１０７】
図５Ａに示されるように、バルーン２６８およびステントグラフト１００は未展開状態にある。図５Ｂにおいて、ステントグラフト１００の自由終端１９６、１９８は部分的に膨張している。図５Ｃに示されるように、ステントグラフト１００の中間部分２００は膨張し始めるが、ステントグラフト１００の自由終端１９６、１９８はカバー２６６により中間直径に保持される。こうして、図５Ｄに示されるように、膨張が継続する。例えば図８のチャートは、集成体２６０を使用する展開中のステントグラフト１００の寸法を表すことができる。図８に示されるように集成体２６０はステップ４１２を有する圧力直径曲線４１０（ここで圧力が増加しても直径は比較的平坦なままである）、およびその膨張範囲を通して伸長曲線４２０を提供する。ステップ４１２はカバー２６６の塑性変形に先立って発生し、これは次に、展開中の中間直径を超えて連続的な膨張を可能にする。
【０１０８】
このようにして、図５Ｅに示されるように、バルーン２６８内の圧力がカバー２６６の降伏強度に打ち勝つまで、カバー２６６はバルーン２６８のこれらの部分についてバルーン２６８の膨張を一時停止させて、カバー２６６の予め決められた直径に到達する。こうして、カバー２６６および２６６のバルーン２６８のこれらの部分およびバルーン２６８は、カバー２６６およびバルーン２６８の予め伸ばされた直径に対応する中間直径に到達するまで、バルーン２６８内の膨張圧力を増加させることにより、膨張される。
【０１０９】
図５Ｄと図５Ｅとの間の移行は、図８のチャート４００のステップ４１２に対応する。例えばバルーンおよびカバーは、バルーン内の膨張圧力を増加させることにより膨張することができ、膨張圧力が少なくとも１気圧、例えば約１気圧〜１２気圧、約１気圧〜４気圧の間、またはさらには約１気圧〜２気圧増加して、少なくともバルーンとカバーの終端部分でカバーの降伏強度に打ち勝つまで、ほぼ中間直径においてほぼ維持される。いくつかの例において、カバーおよびバルーンおよび任意に内部人工器官は、比較的低圧力（例えば、１、２、３、または４気圧）で中間直径まで膨張し、次に中間直径を超えて膨張するために追加の圧力（例えば、１、２、３、または４気圧）が必要とされ、次に展開直径までまたは目的の最大直径までまたは完全に膨張した直径まで膨張するのに追加の圧力（例えば、３気圧〜１８気圧）を必要とする（一例として図８を参照）。
【０１１０】
カバー２６６およびバルーン２６８内の層の塑性変形を引き起こすのに必要な圧力の増加は、バルーン２６８とステントグラフト１００の異なる部分間の角度を３５°以下、例えば２０°以下、またはさらには１０°以下に制限することができる。いくつかの例において、膨張圧力が増大してカバーの降伏強度に打ち勝つまで、バルーンおよびカバーのこれらの部分のみ、例えば終端部分または小さいままである中央部分を除いた部分のみが中間直径に到達する。他の例において、膨張圧力が増加してカバーの降伏強度に打ち勝つまで、各複数の環状のステント要素などの内部人工器官に隣接するバルーンおよびカバーの実質的にすべての部分はほぼ中間直径に到達する。
【０１１１】
いったんバルーン内の圧力が降伏強度に打ち勝つのに十分になると、バルーン２６８およびステントグラフト１００の完全な膨張が再開され、ステントグラフト１００がその展開された状態に到達するまで継続する（図５Ｅ）。
【０１１２】
ある例において、フィルム管を予め延伸することにより、中間直径（すなわち、バルーンの公称直径未満）で停止するバルーンカバーが作製された。２０ｐｓｉの泡立ち点、０．０００３インチの厚さ、２．６６グラム／平方メートルの質量、９４，９３３ｐｓｉのマトリックス引張強度、および２，４０７ｐｓｉの直交マトリックス引張強度を有するフィルムが、およその外径が約１１．６ｍｍ（公称バルーンよりも約１６％大きい）を有するマンドレルにらせん状に巻かれ、３８０℃で１５分間焼成された。次に、らせん状に巻かれた管はマンドレルから取り出され、ネックダウンされて、らせん状に巻かれた管の内径が約１．７ｍｍになるようにした。次にらせん状に巻かれた管は軸方向に約２８％圧縮され（「押しつぶされ」）、次に１０ｍｍのバルーンカテーテルに装填された。らせん状に巻かれた管の終端はバルーンカテーテルに密閉され、次にバルーンカテーテルは６ｍｍ（所望の所定の直径）まで膨張された。予め膨張されたらせん状に巻かれた管を有するバルーンカテーテルは収縮され、送達直径に折り畳まれた。次にバルーンカテーテルは膨張され、バルーンカテーテルは、例えば図８の例に示されるように、６ｍｍの予備膨張直径またはその近傍において圧力対直径曲線の「ステップ」または休止を有した。
【０１１３】
中間直径で休止するバルーンカバーの別の例は、図６で示されるような拘束層を有するバルーンカバーである。図６は、集成体３００の縦方向の断面図を示し、これは、展開されたバルーン３６８とフランジブル層３２８を有するカバー３２０を含む。フランジブル層３２８は、バルーン３６８をその全長に沿って部分的に膨張させるのに必要な圧力より大きな圧力で塑性変形することにより、バルーン３６８の膨張に対する内部人工器官の可変抵抗に逆らうように構成される。こうしてフランジブル層３２８は、フランジブル層３２８の直径に到達するバルーン３６８のこれらの部分についてバルーン３６８の膨張を一時停止させ、その時点で、バルーン内の圧力がフランジブル層３２８の強度に打ち勝つのに十分になるまで圧力が増加し、フランジブル層３２８の塑性変形（降伏）をもたらす。すべてではなくいくつかの例ではそのような圧力は、バルーン３６８の任意の縦方向のすべての部分が完全に膨張した状態に到達する前に部分的に膨張した状態に到達することを確実にし得る。このような部分的に膨張した状態は、バルーン３６８のすべての部分が同じ直径にあることを意味するわけではなく、代わりに直径の差が小さくなり、それによってバルーン３６８の異なる縦方向部分間の角度を３５°以下、例えば２０°以下、またはさらには１０°以下に低下させ、それによってバルーン３６８と共に展開されるステントまたはステントグラフト上の軸方向の圧縮力を減少させる。
【０１１４】
カバー３２０は任意に、フランジブル層３２８に加えてさらなる層を含む。図６に示されるように、カバー３２０は３つの追加の層３２２、３２４、３２６をさらに含む。ある例において、層３２２はフィルムの縦方向のラップを表し、層３２２は縦方向の強度を提供することができ、これは、膨張中のバルーン３６８の伸長を制限するのに役立ち得る。層３２２はさらに、接着剤（例えば、フッ素化エチレンプロピレン（ＦＥＰ））のコーティング（例えば、吸収層または追加層）を含み得る。層３２２のＦＥＰ側は、巻き付けられたバルーンの反管腔側にまたは外側に面していてもよい。ある例において層３２２は、Ｂａｃｉｎｏの米国特許第５，４７６，５８９号（このすべての内容を参照により本明細書中に取り込む）に開示されたベース膜から、Ｂａｃｉｎｏの国際公開第９４／１３４６９号パンフレット（このすべての内容を参照により本明細書中に取り込む）に開示されているように教示されたその上のＦＥＰの追加の不連続層とともに作製される。
【０１１５】
同じかまたは異なる例において、層３２４はカバー３２０に加えられて、層３２２の上のフィルムの１つまたは２つ以上の半径方向のラップ、例えば２層〜１６層、例えば８層のらせん状ラップ層を表すことができ、これはカバー３２０に追加の破裂強度を提供することができる。いくつかの例において層３２４はまた、Ｂａｃｉｎｏの米国特許第５，４７６，５８９号に開示されているようなベース膜からＦＥＰなしで作製することもできる。
【０１１６】
同じかまたは異なる例において、層３２６はカバー３２０内に存在してもよい。層３２６は、層３２４上のフィルムの少なくとも１つのらせん状ラップ、例えば層３２４上にＦＥＰでコーティングされた１つまたは２つ以上のらせん状ラップを表すことができる。１つの例において層３２６は、Ｂａｃｉｎｏの米国特許第５，４７６，５８９号に記載されたベース膜から作製され、Ｂａｃｉｎｏの国際公開第９４／１３４６９号パンフレットに開示されているようにＦＥＰの追加の不連続層がその上に追加されている。
【０１１７】
１つの具体例において層３２２は、２６ｐｓｉの泡立ち点、約２．７５ｇ／ｍ２の質量／面積（その約０．５ｇ／ｍ２がＦＥＰである）、一方向で１．９２ｋｇｆ／ｉｎの破壊力、直交方向で０．０６ｋｇｆ／ｉｎの破壊力、０．０００１３インチの厚さを有する不連続ＦＥＰを用いてベース膜から作製された。層３２２は９ｍｍのマンドレル（バルーン上のカバー上に押しつけられた８ｍｍの内部人工器官を有することが意図される）上に巻き付けられた。他の例において、層３２２はバルーン上に直接巻き付けてもよい。いくつかの例においてバルーンは、対応するバルーンカバーまたは意図された内部人工器官よりもわずかに大きい（例えば、１ｍｍまたは２ｍｍ）膨張直径を有する。この具体例において層３２４は、２０ｐｓｉの泡立ち点、０．０００３インチの厚さ、２．６６グラム／平方メートルの質量、９４，９３３ｐｓｉのマトリックス引張強度、および２，４０７ｐｓｉの直交マトリックス引張強度を有するフィルムを層３２２上に巻き付けることにより作製された。この具体例において層３２６は、２６ｐｓｉの泡立ち点、約２．７５ｇ／ｍ２の質量／面積（その約０．５ｇ／ｍ２がＦＥＰである）、一方向で１．９２ｋｇｆ／ｉｎの破壊力、直交方向で０．０６ｋｇｆ／ｉｎの破壊力、０．０００１３インチの厚さを有する不連続ＦＥＰを用いてベース膜から、層３２４（層３２６は層３２４の上に巻き付けられた）の上に巻き付けて作製された。当業者であれば、異なる積層シナリオを企図することができ、プロファイルまたは製造上の利点などの様々な動機により、個々の層の特性をより少ない層に組み合わせることができるであろうが、それらもなお本開示の範囲内である。
【０１１８】
バルーン３６８上への層３２２、３２４、３２６の適用に続いて、バルーン３６８および層３２２、３２４、３２６の集成体を焼成することができる。１つの例において、バルーン３６８および層３２２、３２４、３２６の集成体は、３２０℃で約１５分間焼成することができる。この最初の焼成後、バルーン３６８および層３２２、３２４、３２６の集成体は、２５０℃で中間直径に圧縮することができる。
【０１１９】
次に、フランジブル層３２８を、バルーン３６８および層３２２、３２４、３２６の集成体に中間直径で追加することができる。いくつかの例においてフランジブル層３２８は、層３２６上にＦＥＰがコーティングされた１つまたは２つ以上のらせん状ラップのような層３２６上のフィルムの少なくとも１つのらせん状ラップを表してもよい。
【０１２０】
１つの例において層３２６は、Ｂａｃｉｎｏの米国特許第５，４７６，５８９号に開示されたベース膜から、Ｂａｃｉｎｏの国際公開第９４／１３４６９号パンフレットに開示されているようなその上の追加のＦＥＰの不連続層を用いて作製される。１つの具体例においてフランジブル層３２８は、３６ｐｓｉの泡立ち点、０．０００１４インチの厚さ、１．５９１ｇ／ｍ２の質量（その０．１４ｇ／ｍ２はＦＥＰに由来する）、１つの方向で１．１３ｋｇ／ｉｎの破壊力、直交方向で０．１２Ｋｇｆ／ｉｎの破壊力を有した。
【０１２１】
別の例において層３２８は、ベースフィルムに吸収されたエラストマー（Ｔｅｃｏｔｈａｎｅ）を有するＢａｃｉｎｏの米国特許第５，４７６，５８９号に開示されたベース膜（全重量の約７０％はエラストマーに来する）から作製される。エラストマーは、展開後に内部人工器官からカバーを取り出すのを補助した。エラストマーを含まないフィルムは、約３５ｐｓｉの泡立ち点、０．０００１インチの厚さ、１．４６ｇ／ｍ２の質量、および１つの方向で１０１，３２１ｐｓｉのマトリックス引張強度、直交方向で９，２８８ｐｓｉのマトリックス引張強度を有した。
【０１２２】
同じかまたは異なる例において、フランジブル層３２８は焼成されて中間直径でフランジブル層のフランジブルな（壊れやすい）性質を提供することができる。１つの例において、バルーン３６８および層３２２、３２４、３２６、３２８の集成体は２８０℃で約５分間焼成されることができる。このプロセスは、バルーン３６８内の圧力が約４気圧に到達すると塑性変形を受けるフランジブル層３２８を生成することができる。最もよく理解されるように、焼成はフランジブル層３２８を中間直径で溶融、癒着させ、フランジブル層３２８の弾性を低下させ、中間直径を超えるさらなる膨張に対する抵抗を提供する。焼成されたフランジブル層３２８は薄くかつ不連続であり得る。増加する膨張圧力による膨張の間、例えば約４気圧でフランジブル層３２８の引張歪みがなくなると、引張歪みのないフランジブル層３２８は中間直径を超えて膨張の再開を引き起こすことができる。バルーン３６８は、フランジブル層３２８の破断点未満の圧力でその長さ全体にわたって膨張することができるため、フランジブル層３２８は、フランジブル層３２８がバルーン３６８の長さに沿っていずれかの点で塑性変形を経験する前に、バルーン３６８の長さの大部分またはすべてが部分的に膨張されることを確実にする。
【０１２３】
焼成工程に続いて、カバー３２０およびバルーン３６８は半径方向に圧縮されて、図２Ａおよび図２Ｂに関して上述したように内部人工器官の装填を容易にすることができる。圧縮後、装填されたステントまたはステントグラフトのような内部人工器官を含む医療集成体のプロファイルは、未展開状態のステントグラフト１００の周りで測定して約５〜約１０フレンチの間であり、カバー３２０の厚さは約０．０２５から約０．０５１ミリメーターの間にあり得る。
【０１２４】
フランジブル層３２８の追加を除いて、カバー３２０はカバー２６６と実質的に類似していてもよく、ステントグラフトは、バルーン２６８とカバー２６６について前に記載されたものと同じかまたは実質的に同様の方法で、バルーン３６８およびカバー３２０上に装填することができる。例えばカバー３２０の構築は、例えばバルーン３６８の長さ３８０より長い長さ３８２を有することができる。いくつかの例においてカバー３２０はバルーン３６８の周りに配置され、第１カバー終端３７０および第２のカバー終端３７２は、第１のバルーン終端３７４および第２のバルーン終端３７６を超えて伸長する。このような例において、第１のカバー終端３７０または第２のカバー終端３７２に配置されたカバー３２０の材料のセグメント３８４は、縦軸１９２に沿って圧縮することができる（すなわち、軸方向に圧縮）。例えば図６について、カバー３２０の材料のセグメント３８４は第１のカバー終端３７０において軸方向に圧縮され（例えば、押しつぶされ）、セグメント３８６は第２のカバー終端３７２において軸方向に圧縮され得る。同じかまたは異なる例においてカバー３２０は、他の部分、例えば中央部分または環状のステント要素１０４の間のスペース内で縦方向に圧縮されてもよい。他の例においてカバー３２０はその長さのほとんどまたはすべてに沿って縦に圧縮することができる。さらに別の代替態様において、カバーはその長さに沿って全く圧縮されていなくてもよい。
【０１２５】
図６に示されるようにセグメント３８４および／またはセグメント３８６は、第１のバルーンショルダー３９０および／または第２のバルーンショルダー３９２と整列している。他の例においてセグメント３８４および／または３８６は、バルーン３６８の異なる部分と整列している。図６に示されるように、第１のバルーンショルダー３９０および／または第２のバルーンショルダー３９２は円錐形のショルダーである。特定の例について説明されているが、バルーンショルダーの任意の形状も本開示の範囲内である。
【０１２６】
セグメント３８４は、例えば、それが第１のバルーンショルダー３９０の少なくとも一部を囲むように配置することができ、セグメント３８４は、それが第２のバルーンショルダー３９２の少なくとも一部を取り囲むように配置することができる。バルーンショルダー（例えばバルーンショルダー３９０および３９２）の周りの軸方向に圧縮された（例えば押しつぶされた）追加の材料の提供は、バルーンショルダーの一般的な部位においてカバー３２０の厚さおよび／または密度を増加させることができる。さらに、バルーンショルダー上のカバー３２０の軸方向に圧縮された材料を追加することにより、膨張中にバルーンへの軸方向圧縮が制限しながら、バルーン３６８の半径方向の膨張が可能となる。例えばそれらの圧縮部分が無い場合、バルーンのショルダーはバルーン本体より前により容易に膨張することができ、バルーンおよび内部人工器官の軸方向圧縮を引き起こす。しかし軸方向に圧縮された材料がある場合、バルーン全体内の圧力が、バルーンの本体を取り囲むカバーおよび内部人工器官をより十分に膨張させるのに十分になるまで、内部人工器官の軸方向の圧縮（例えば、バルーンの膨張部分とバルーンの膨張していないかあまり膨張していない部分との角度の変化による）を少なくするような様式で、バルーンのショルダーは膨張することができる。さらに、バルーンショルダー３９０および３９２の一般領域における厚さおよび／または密度の増加は、バルーンショルダーに追加の半径方向強度を提供して同様の効果を達成することができる。
【０１２７】
前述のように、バルーン３６８は加圧流体をバルーン３６８に供給することにより膨張させることができる。図７Ａ〜図７Ｇは、バルーン３６８が膨張したときに、バルーン３６８の膨張を１つの所望の膨張プロファイルに制限するカバー３２０の一例を示す。簡単のために図７Ａ〜図７Ｇに関して、参照番号は図７Ａにのみ示されているが、同じ要素が参照番号なしで図７Ｂ〜図７Ｇにも示されている。図８は、展開の種々の段階に従うバルーンの膨張に対する内部人工器官の可変抵抗に逆らうように構成された、バルーン内またはその上の層を含む内部人工器官送達システムを使用した内部人工器官の膨張中の、バルーン圧力に対する直径および変化長さを示すチャートである。
【０１２８】
ステントグラフト１００の中間部分２００は、ステントグラフト１００の中間部分３０ならびに自由終端１９６、１９８、またはその近傍において、バルーン３６８の膨張に対する抵抗を与える。またカバー３２０は、バルーンの膨張に対する抵抗を与えて、ステントグラフト１００の中間部分２００におけるバルーン３６８の膨張率に対して、ステントグラフト１００の自由終端１９６、１９８におけるバルーン３６８の膨張率の差を低減し、こうしてバルーン３６８がステントグラフト１００を未展開状態（図７Ａ）から展開された状態（図７Ｇ）に膨張するときに、ステントグラフト１００の縦方向の圧縮を低減する。カバー３２０はまた、ステントグラフト１００の中間部分２００におけるバルーン３６８の膨張率を、自由終端１９６、１９８、または近傍（例えば、ショルダーまたはその近傍）におけるバルーンの膨張率と等しくするように作用する。
【０１２９】
図７Ａに示されるように、バルーン３６８およびステントグラフト１００は未展開状態にある。図７Ｂにおいて、ステントグラフト１００の自由終端１９６、１９８は部分的に膨張している。図７Ｃに示されるように、ステントグラフト１００の中間部分２００は膨張し始めるが、ステントグラフト１００の自由終端１９６、１９８はフランジブル層３２８により中間直径に保持される。図７Ｄに示されるように、膨張はこうして続き、バルーンおよびステントの大部分は中間直径である。例えば図８のチャートは、集成体３００を使用した展開中のステントグラフト１００の寸法を表すことができる。図８に示されるように集成体３００は、ステップ４１２を有する圧力直径曲線４１０を提供し、ここで圧力が増加するが、直径は比較的平坦なままで、その膨張範囲全体にわたって伸長曲線４２０を提供する。ステップ４１２は、フランジブル層３２８の塑性変形の前に発生し、これは展開時に中間直径を超える制御された膨張を可能にする。
【０１３０】
このようにして、フランジブル層３２８は、図７Ｅに示されるように、バルーン３６８内の圧力がフランジブル層３２８の降伏強度に打ち勝つまで、フランジブル層３２８の直径に到達するバルーン３６８のこれらの部分についてバルーン３６８の膨張を一時停止させる。このようにして、バルーン３６８およびフランジブル層３２８（これはカバーでもよい）は、ステントグラフト１００の未展開直径と展開された直径との中間直径に到達するまで、バルーン３６８内の膨張圧力を増加させることにより、ステントグラフト１００の自由終端１９６、１９８に隣接するフランジブル層３２８およびバルーン３６８が膨張される膨張プロファイルを示す。膨張圧力がフランジブル層３２８の降伏強度（この場合は究極強度）に打ち勝つまで、制限された膨張により中間直径はほぼ維持される。図７Ｅと図７Ｆとの間の移行は、図８のチャート４００のステップ４１２に対応する。フランジブル層３２８の塑性変形を引き起こすのに必要な圧力の増加は、バルーン３６８の任意の縦方向部分が完全膨張状態に到達する前に、バルーン３６８のすべての縦方向部分が部分膨張状態に到達することを確かにし得る。いったんバルーン３６８のすべての部分がフランジブル層３２８の直径に到達すると、バルーン内の圧力がフランジブル層３２８の強度に打ち勝つのに十分になるまでポイント圧力が増加し、フランジブル層３２８の塑性変形をもたらす。例えばバルーンおよびカバーは、バルーン内の膨張圧力を増加させることにより膨張し、膨張圧力が少なくとも１気圧、例えば約１気圧〜１２気圧、約１気圧〜４気圧の間、または約１気圧〜２気圧との間で増加して、バルーンおよびカバーの少なくとも終端部分においてカバーの降伏強度に打ち勝つまで、ほぼ中間直径においてほぼ維持される。いくつかの例において、カバーおよびバルーンおよび任意に内部人工器官を有するものは、比較的低い圧力（例えば、１、２、３、または４気圧）で中間直径まで膨張し、次に中間直径を超えて膨張するために追加の圧力（例えば、１、２、３、または４気圧）が必要とされ、次に膨張して展開されるまでまたは目的の最大直径までまたは完全に膨張した直径まで追加の圧力（例えば、３気圧〜１８気圧）を必要とする（一例として図８を参照）。
【０１３１】
いくつかの例において、膨張圧が増加してカバーの降伏強度に打ち勝つまで、バルーンおよびカバーの一部（例えば中央部分を除く終端またはすべての部分）のみが中間直径に到達する。他の例において、内部人工器官に隣接するバルーンおよびカバーの実質的にすべての部分、例えば複数の環状のステント要素のそれぞれは、膨張圧力が増加してカバーの降伏強度に打ち勝つまで、ほぼ中間の直径に到達する。
【０１３２】
いずれにしても、バルーン３６８およびステントグラフト１００の完全膨張は、図７Ｆに示されるように、膨張圧力の上昇に伴って再開し、ステントグラフト１００が展開された状態に到達するまで続く（図７Ｇ）。図５Ａ〜図５Ｅの膨張プロファイル（これは予め伸ばされた層により提供される）と比較して、フランジブル層３２８は、ある長さのステントグラフト１００の周りにより一貫した中間直径を作り出すことができる。しかしながら、予め伸ばされた層およびフランジブル層の両方は、バルーンで膨張可能な内部人工器官の展開中のカテーテル集成体の異なる縦方向部分の間の角度を、３５°以下、例えば２０°以下、またはさらには１０°以下で制限し、従ってステントまたはステントグラフトの縮小を制限するのに適した技術である。
【０１３３】
種々の例において、カバー３２０は、ステントグラフト１００の完全に展開された直径の近くで、図７Ｅの中間直径に向かって弾性応答を与えることができる。同じかまたは異なる例において、カバー３２０は、ステントの長さに沿って中間直径に向かって完全に展開された直径で弾性応答を与える要素を含むことができ、このような要素は中間直径で適用されてもよく、および／またはこのような要素はカバー３２０内に吸収されてもよい。中間直径に向かって弾性応答を与える要素は中間直径と完全に展開された直径との間で伸ばされ、これは、カテーテルの取り外しを助け、ステントグラフトの解放を助けることができる。１つの例において、Ｔｅｃｏｔｈａｎｅの層はフランジブル層３２８に追加された。
【０１３４】
いくつかの例において、軸方向に圧縮されたセグメント３８４および／または３８６もまた、バルーンショルダー３９０および３９２の膨張に対して追加の抵抗を提供するように構成され、このようなセグメント３８４および３８６が無かった場合よりはるかに容易にバルーン３６８の中央部分３９４の膨張を引き起こし、これが、バルーンショルダーの膨張をバルーン３６８の中央部分３９４により密接に一致するように制限する。また軸方向に圧縮されたセグメント３８４および／または３８６は、バルーンショルダー３９０および／または３９２の膨張を実質的に妨げる場合がある。いくつかの例において、これはこれらの部位におけるバルーン膨張の程度を制御する効果を有し、次にこれがバルーン３６８および／またはステントグラフト１００の膨張プロファイルを制御する。
【０１３５】
いくつかの例において、バルーン３６８の膨張はステントグラフト１００の望ましくない膨張特性を減少させるような方法で、被覆されたセグメント３８４および／または３８６により制御され得る。例えば被覆されたセグメント３８４および／または３８６は、膨張中のステントグラフト１００の縮小度を低下させることができる。特にセグメント３８４および／または３８６は、バルーンを特定の膨張プロファイル（バルーンショルダーを膨張させることに起因する軸方向の力が、例えばバルーンのショルダー部分とバルーンまたはステントグラフトの中央部分との間の角度が小さくなることにより、著しく低減される）に押し込むことができるように構成することができる。さらに被覆されたセグメント３８４および／または３８６は、ステントグラフト１００の積み重ねを低減または防止（例えば、膨張中の環状のステント要素１０４の間の間隔の減少）することができる。
【０１３６】
集成体３００に関して記載される技術は、少なくとも１０ミリメーター、例えば様々な例において約１１ミリメーター〜約２０ミリメーター、約１１ミリメーター〜約１６ミリメーター、または約１２ミリメーター〜約１３ミリメーターの直径を有するステントグラフトの展開に特に適していることができる。
【０１３７】
図９Ａ〜９Ｃはステント５００を示す。ステント５００は内部人工器官の一例であり、環状のステント要素５０２と、環状のステント要素５０２を相互接続する縦方向ステント要素５０４とを含む。
【０１３８】
ステントグラフト１００などのステントは、バルーン上に展開することができる。環状のステント要素５０２の終端要素は、隣接する要素により拘束されない。したがって環状のステント要素５０２の終端要素は、ステントの残りの部分よりも低い膨張力で展開する。一貫したプロファイルを有する単純な展開バルーンでは、展開中、環状のステント要素５０２の終端要素は、環状のステント要素５０２の他の要素よりも大きく成長する。これにより、環状のステント要素５０２が終端上のバルーンの最も膨張した部分からバルーンのあまり膨張していない部分へ中央に向かって押されるような膨張させる軸方向の圧縮力を作り出す。軸方向の縮小力は、環状のステント要素５０２の終端要素における一様でない膨張に起因するバルーンの角度の関数である。角度が大きいほど、軸方向の圧縮力が大きくなり得る。バルーンからの軸方向の力は、ステントとバルーンとの間の摩擦と、縦方向のステント要素５０４の曲げ強度との組み合わせにより抵抗される。バルーンからの軸方向の力が縦方向のステント要素５０４の曲げ強度を超えると、軸方向の縮小が発生する。前述のように、１１ミリメーターまたはそれ以上のステントのようなより大きなステントの場合、角度は環状のステント要素５０２の終端要素とバルーンの間の摩擦力に打ち勝つのに充分であり、軸方向縮小につながり得る。
【０１３９】
本明細書において先に開示したように、一様でない膨張によるバルーンの角度の低減は、展開中のステント５００の軸方向の縮小を緩和する。いくつかの例において、バルーン上のカバーは、ステント５００の長さにわたって中間的な部分展開直径を作り出して、展開中の最大バルーン角度を減少させることができる。いくつかの例において、バルーンおよびカバーまたはその一部は、未展開直径と展開直径との間の中間直径に到達するまで、バルーン内の膨張圧力を増加させることにより膨張され、膨張圧力が増加してカバーの降伏強度に打ち勝つまで、ほぼ中間直径にほぼ維持される。
【０１４０】
ステント５００の曲げ柔軟性は、一部は縦方向ステント要素５０４により決定される。縦方向ステント要素５０４は剛性であってもよく、または圧縮、折り畳み、または曲げられてもよい。曲げ荷重５２０（図９Ｃ）では、カーブの内側の縦方向ステント要素５０４が短くなり、隣接する環状のステント要素５０２の間のギャップ５２４を残し、および／または曲線の外側の要素が長くなり、隣接するリング状要素ステント要素５０２の間のギャップを残す。
【０１４１】
曲げ柔軟性に影響を及ぼすことに加えて、縦方向のステント要素５０４は軸方向の縮小に必要なカラム強度および力に影響を及ぼす。特に、縦方向ステント要素５０４は縦方向の圧縮５１０（図９Ｂ）に抵抗するが、縦方向ステント要素５０４の曲げ強度が克服されると、隣接する環状のステント要素５０２の間の間隔が短くなり、隣接する環状のステント要素５０２の間にギャップ５１２を残す。縦方向ステント要素を含まないかまたは限定された曲げ強度を有する縦方向ステント要素を含むステントグラフト１００と比較して、縦方向ステント要素５０４の抵抗は展開中に加えられる軸方向の力を緩和して縮小を低減する。
【０１４２】
一様でない膨張によりバルーンの角度を制限することに加えて、圧縮された構成と膨張された構成との間で展開中の内部人工器官（例えばステント５００）の長さの減少を制限する別の方法は、環状のステント要素５０２の位置および／または向きを変更することである。特にいくつかの例において、ステント５００の１つまたは２つ以上の環状のステント要素５０２の位置および／または向きは、ステント５００の圧縮前に変更され得る。例えば２つまたはそれ以上の隣接する環状のステント要素５０２の間の距離は、ステント５００の圧縮前に縮小され得る。より具体な例において、１つまたは２つ以上の環状のステント要素５０２は移動されて、これらは互いに約１ミリメーター未満離れていることになるか、またはこれらは互いに接触しているようになる（すなわち、互いに０ミリメーター離れている）。
【０１４３】
他の例において、環状のステント要素５０２の位置および／または向きはステント５００の圧縮後に変更されてもよい。例えばおよび図９Ｂについて、ステント５００は、２つまたはそれ以上の環状のステント要素５０２の縦の間隔を縮小することにより変更可能な長さを有する。隣接する環状のステント要素５０２の間の縦方向の間隔を縮小することは、例えばステント要素５０２が展開された状態に膨張されたときに回復される格納された縦方向の長さを作り出す。例えば格納された縦方向の長さは、ステント５００の膨張および展開の際に回復される（すなわち、軸方向に膨張される）隣接する環状のステント要素５０２の間で軸方向に圧縮される縦方向ステント要素５０４の長さまたはセグメントとして定義され得る。ステント５００の「未展開長さ」は、一般に送達前の圧縮状態のステント５００をいい、ステント５００の「展開された長さ」は、一般に膨張状態のステント５００をいう。いくつかの例において、環状のステント要素５０２の間隔を変更することは、未展開長さと呼ばれる新しい長さを作り出す。
【０１４４】
別の言い方をすれば、隣接するステント要素５０２の間の間隔を縮小することにより、縦方向ステント要素５０４を軸方向に圧縮することができる。軸方向圧縮により格納される長さを作り出すことにより、ステント５００の外径は増加しない。格納される長さを作り出しながら器具の直径を増加させないことにより、器具の横断面は最小のままであり、したがって血管を通したステントグラフトの送達に悪影響を及ぼさない。同時に、格納された長さの回復は、例えばバルーンを膨張させることに起因する軸方向の圧縮力による、長さの喪失を低減または相殺するステントグラフトの能力を高める。
【０１４５】
本発明の具体的な例を本明細書に例示し説明してきたが、本発明はそのような例示および説明に限定されるべきではない。以下の特許請求の範囲内で本発明の一部として変更および修正が取り込まれ具体化できることは明らかである。
【０１４６】
意図された機能を実行するように構成された任意の数の方法および装置により、本開示の様々な態様が実現され得ることを、当業者は容易に理解するであろう。別の言い方をすれば、意図された機能を実行するために、他の方法および装置を本明細書に取り込むことができる。本明細書で言及した添付の図面はすべてが一定の縮尺で描かれているわけではなく、本開示の様々な態様を説明するために誇張されている場合があることに留意すべきであり、その点で図面は限定的であると解釈されるべきではない。最後に、本開示は様々な原理および考え方に関連して説明することができるが、本開示は理論に縛られるものではない。
【０１４７】
器具の構造および機能および／または方法の詳細と共に様々な代替例を含む多くの特徴および利点が前述の説明に示されている。この開示は例示に過ぎず、包括的なものではない。構造、材料、要素、構成要素、形状、サイズ、および本発明の原理内の組合せを含む部品の配置の問題に関して、様々な変更が可能であることは、添付の特許請求の範囲が表現されている用語の広範な一般的意味により示される全範囲について、当業者には明らかであろう。これらの様々な変更は、添付の特許請求の範囲の精神および範囲から逸脱しない限り、本発明に包含されることが意図される。
【図１Ａ】
2019519291.tif 000003
【図１Ｂ】
2019519291.tif 000004
【図２Ａ】
2019519291.tif 000005
【図２Ｂ】
2019519291.tif 000006
【図３】
2019519291.tif 000007
【図４Ａ】
2019519291.tif 000008
【図４Ｂ】
2019519291.tif 000009
【図５Ａ】
2019519291.tif 000010
【図５Ｂ】
2019519291.tif 000011
【図５Ｃ】
2019519291.tif 000012
【図５Ｄ】
2019519291.tif 000013
【図５Ｅ】
2019519291.tif 000014
【図６】
2019519291.tif 000015
【図７Ａ−７Ｇ】
2019519291.tif 000016
【図８】
2019519291.tif 000017
【図９Ａ】
2019519291.tif 000018
【図９Ｂ】
2019519291.tif 000019
【図９Ｃ】
2019519291.tif 000020
【国際調査報告】
2019519291.tif 000021
2019519291.tif 000022
2019519291.tif 000023
2019519291.tif 000024